(57)【要約】【課題】【解決手段】少なくとも一の地理的に異なるジオフェンスピア公共サービスメッセージ配信システムへの配信エージェントメッセージの寄託及び送信を管理する公共サービスメッセージ配信システム及び方法は、前記配信メッセージ及び前記配信対象エリアを規定する配信メッセージ発信元によって配信メッセージ記録を作成する工程と、前記配信メッセージ発信元の配信メッセージの有効性を認証する工程とを含む。この方法は、前記配信メッセージ記録をピア公共サービスメッセージ配信システムに送信する工程と、関連した配信メッセージネットワークに送信するために前記受信された配信メッセージ記録を有効にする工程とも含む。【選択図】      図１４
2009517738.tif 000002
【特許請求の範囲】
【請求項１】
配信メッセージを配信対象エリアに提供する公共サービスメッセージ配信システムであって、
前記配信対象エリア及び前記配信メッセージを含み、前記配信メッセージを受信する少なくとも一の監督用公共サービスメッセージ配信システムを規定する配信記録を受信し、前記配信メッセージ、前記配信対象エリア、前記配信メッセージ発信元識別子、及び前記配信メッセージを受信する前記少なくとも一の監督用公共サービスメッセージ配信システムを含む配信メッセージ記録を生成するように構成された配信メッセージインターフェースと、
前記配信メッセージ記録を受信し、前記配信メッセージ発信元識別子、前記配信対象エリア及び監督用公共サービスメッセージ配信システムルーティングパラメータのうちの一又は複数に応じて前記配信メッセージ記録を有効にし、前記ジオフェンス配信ルーティングパラメータを含む有効にされた配信メッセージ記録を生成するように構成された配信アドミッションコントロールモジュールと、
前記有効にされた配信メッセージ記録を受信するように構成された階層的ジオフェンス配信メッセージルーティングサブシステムであって、前記監督用公共サービスメッセージ配信システムは、前記メッセージ送信に応答し、前記有効にされた配信メッセージ記録を、複数の地理的に異なるサブテンド公共サービスメッセージ配信システムに送信するように構成される
ことを特徴とするシステム。
【請求項２】
前記配信アドミッションコントロールモジュールは、配信メッセージ発信元承認パラメータに応じて前記配信メッセージ発信元の権限を検証し、前記配信メッセージの前記送信は、前記権限検証に応答することを特徴とする請求項１に記載のシステム。
【請求項３】
前記配信アドミッションコントロールモジュールは、配信メッセージ発信元パラメータに応じて配信メッセージ発信元の前記権限の検証の包含を検証するように構成されることを特徴とする請求項１に記載のシステム。
【請求項４】
前記送信された配信メッセージ記録を受信し、前記配信メッセージ発信元識別子、前記配信対象エリア及び監督用公共サービスメッセージ配信システムルーティングパラメータのうちの一又は複数に応じて前記配信メッセージ記録を有効にし、前記ジオフェンス配信ルーティングパラメータを含む有効にされた配信メッセージ記録を生成するように構成された第２配信アドミッションコントロールモジュールを更に備えることを特徴とする請求項１に記載のシステム。
【請求項５】
前記階層的ジオフェンス配信ルーティングサブシステムは、管轄区域コード及びメッセージ優先コードを伴う前記配信メッセージ記録にフラグを立てるように構成されることを特徴とする請求項４に記載のシステム。
【請求項６】
前記第２配信アドミッションコントロールモジュールは、前記配信メッセージ発信元の前記管轄区域権限の認証を含む前記配信メッセージ記録を有効にするように構成されることを特徴とする請求項５に記載の方法。
【請求項７】
前記第２の有効にされた配信メッセージ記録を受信するように構成された第２の階層的ジオフェンス配信メッセージルーティングサブシステムを更に備え、前記監督用公共サービスメッセージ配信システムは、前記メッセージ送信に応答し、前記配信メッセージ記録を、第２の地理的に異なるサブテンド公共サービスメッセージ配信システムに送信するように構成されることを特徴とする請求項４に記載のシステム。
【請求項８】
少なくとも一の地理的に異なるジオフェンス公共サービスメッセージ配信システムへの配信メッセージの寄託及び送信を管理する公共サービスメッセージ配信システムサービス方法であって、
配信メッセージ発信元によって前記配信メッセージを生成する工程と、
前記配信対象エリアを規定する工程と、
前記配信メッセージ、前記配信対象エリア及び配信メッセージ発信元識別子を含む配信メッセージ記録を生成する工程と、
前記配信対象エリアを含む前記配信メッセージ発信元に対する前記配信メッセージ記録の権限を認証する工程と、
複数の監督用公共サービスメッセージ配信システムの中から一の監督用公共サービスメッセージ配信システムを選択する工程と、
前記認証された配信メッセージ記録を前記選択された監督用公共サービスメッセージ配信システムに送信する工程と、
第２の監督用公共サービスメッセージ配信システム、及び前記配信対象エリアのうち少なくとも一部に配信メッセージ送信サービスを提供するサブテンド公共サービスメッセージ配信システムのうちの少なくとも一方に、受理可能な配信メッセージ記録として送信のために、前記選択された監督用公共サービスメッセージ配信システムによって前記認証された配信メッセージ記録の受容性を決定する工程と、
前記受理可能な配信メッセージ記録を、第２の監督用公共サービスメッセージ配信システム及びサブテンド公共サービスメッセージ配信システムのうちの少なくとも一方に送信する工程と
を備えることを特徴とする方法。
【請求項９】
第２の監督用公共サービスメッセージ配信システムによって前記寄託された配信メッセージ記録の受容性を決定する工程と、前記配信対象エリアの少なくとも一部内における複数の配信メッセージ受信手段に、メッセージ配信サービスを提供する供給された配信メッセージ送信ネットワークへの送信のために、前記配信対象エリアのうちの少なくとも一部に配信メッセージ送信サービスを提供するサブテンド公共サービスメッセージ配信システムに、前記受理可能な配信メッセージ記録を送信する工程とを更に備えることを特徴とする請求項８に記載の方法。
【請求項１０】
前記配信対象エリアの少なくとも一部内における複数の配信メッセージ受信手段に、メッセージ配信送信サービスを提供する供給された配信メッセージ送信ネットワークへの送信のために、前記配信対象エリアの少なくとも一部に配信メッセージ送信サービスを提供する前記サブテンド公共サービスメッセージ配信システムによって、前記寄託された配信メッセージ記録を有効にする工程を更に備えることを特徴とする請求項８に記載の方法。
【請求項１１】
前記配信メッセージ記録を有効にする工程は、配信メッセージ発信元識別子、前記配信対象エリア、及び前記配信対象エリアの少なくとも一部に、前記メッセージを配信するように構成された配信送信ネットワークに関連する配信メッセージ送信ネットワークパラメータのうちの一又は複数に応じて有効にする工程を含むことを特徴とする請求項１０に記載の方法。
【請求項１２】
配信メッセージ記録を生成する工程は、管轄区域コード及びメッセージ優先コード伴う前記配信メッセージ記録にフラグを立てる工程を含むことを特徴とする請求項８に記載の方法。
【請求項１３】
前記配信メッセージ記録を認証する工程は、前記配信メッセージ発信元の管轄区域権限を認証する工程を含むことを特徴とする請求項８に記載の方法。
【請求項１４】
前記寄託された配信メッセージ記録の受容性を決定する工程は、監督用公共サービスメッセージ配信システム配信メッセージ送信決定フラグを前記配信メッセージ記録に付加する工程を含むことを特徴とする請求項８に記載の方法。
【請求項１５】
サブテンド公共サービスメッセージ配信システムメッセージ送信決定フラグを前記配信メッセージ記録に付加する工程を含む前記サブテンド公共サービスメッセージ配信システムによって、第２監督用公共サービスメッセージ配信システムから、前記寄託された配信メッセージ記録の前記受容性を決定する工程を特徴とする請求項８に記載の方法。
【請求項１６】
前記選択された監督用公共サービスメッセージ配信システムは、国際的な公共サービスメッセージ配信システムであり、領域公共サービスメッセージ配信システム及び前記サブテンド公共サービスメッセージ配信システムを含み、国営公共サービスメッセージ配信システムである第２の監督用公共サービスメッセージ配信システムを選択する工程を更に備えることを特徴とする請求項８に記載の方法。
【請求項１７】
前記選択された監督用公共サービスメッセージ配信システムは、領域公共サービスメッセージ配信システムであり、国営公共サービスメッセージ配信システム及び前記サブテンド公共サービスメッセージ配信システムを含み、州又は自治州の公共サービスメッセージ配信システムである第２の監督用公共サービスメッセージ配信システムを選択する工程を更に備えることを特徴とする請求項８に記載の方法。
【請求項１８】
前記選択された監督用公共サービスメッセージ配信システムは、国営公共サービスメッセージ配信システムであり、州又は自治州の公共サービスメッセージ配信システム及び前記サブテンド公共サービスメッセージ配信システムを含み、地域公共サービスメッセージ配信システムである第２の監督用公共サービスメッセージ配信システムを選択する工程を更に備えることを特徴とする請求項８に記載の方法。
【請求項１９】
配信メッセージを配信対象エリアに提供する公共サービスメッセージ配信システムであって、
前記配信メッセージ、前記配信対象エリア及び配信メッセージ発信元識別子を含む配信メッセージ記録を受信し、前記配信メッセージを受信する二つの地理的に異なるピア公共サービスメッセージ配信システムを識別し、前記配信メッセージ、前記配信対象エリア、前記配信エージェント識別子、及び前記配信対象エリアの少なくとも一部に、前記受信した配信メッセージを送信するように夫々構成された前記少なくとも一の地理的に異なるピア公共サービスメッセージ配信システムを含む配信メッセージ記録を生成するように構成された配信メッセージインターフェースと、
前記配信メッセージ記録を受信し、前記配信メッセージ発信元識別子、前記配信対象エリアの少なくとも一部及び一以上の地理的に異なるピア公共サービスメッセージ配信システムのうちの一又は複数に応じて前記配信メッセージ記録を有効にするように構成された第１配信アドミッションコントロールモジュールと、
有効にされた配信メッセージを、地理的に異なるピア公共サービスメッセージ配信システムに関連する第２配信アドミッションコントロールモジュールに送信するように構成された第１ピアジオフェンス配信メッセージルーティングサブシステムと、
前記送信された配信メッセージ記録を受信し、前記配信メッセージ発信元識別子、前記第２配信アドミッションモジュールに関連する前記配信対象エリアの少なくとも一部及び前記第２配信アドミッションコントロールモジュールを伴う配信メッセージ送信ネットワークのうちの一又は複数に応じて前記配信メッセージ記録を有効にするように構成された第２配信アドミッションコントロールモジュールと
を備えることを特徴とするシステム。
【請求項２０】
少なくとも一の地理的に異なるジオフェンスピア公共サービスメッセージ配信システムへの配信エージェントメッセージの前記寄託及び送信を管理する公共サービスメッセージ配信システムサービス方法であって、
前記配信メッセージ及び前記配信対象エリアを規定する配信メッセージ発信元によって配信メッセージ記録を生成する工程と、
前記配信メッセージ発信元の配信メッセージ権限を認証する工程と、
前記配信メッセージ記録をピア公共サービスメッセージ配信システムに送信する工程と、
関連配信メッセージネットワークへの送信のために前記受信された配信メッセージ記録を有効にする工程と
を備えたことを特徴とする方法。
【請求項２１】
前記配信メッセージ記録を有効にする工程は、配信メッセージ発信元識別子、前記配信対象エリア及び前記配信ネットワークに関連する配信メッセージ送信ネットワークパラメータのうちの一又は複数に応じて有効にする工程を含むことを特徴とする請求項２０に記載の方法。
【請求項２２】
配信メッセージを生成する工程は、管轄区域コードを伴う前記配信メッセージ記録にフラグを立てる工程を含むことを特徴とする請求項２０に記載の方法。
【請求項２３】
前記配信メッセージ権限を認証する工程は、前記管轄区域コード及び前記配信対象エリアに応じて前記配信メッセージ権限の管轄区域権限を認証する工程を含むことを特徴とする請求項２２に記載の方法。
【請求項２４】
配信メッセージを生成する工程は、メッセージ優先コードを伴う前記配信メッセージ記録にフラグを立てる工程を含むことを特徴とする請求項２０に記載の方法。
【請求項２５】
配信メッセージ権限を認証する工程は、前記メッセージ優先コードに応じて前記配信メッセージ権限の管轄区域権限を認証する工程を含むことを特徴とする請求項２４に記載の方法。
【請求項２６】
ピア公共サービスメッセージ配信システム配信メッセージ送信決定フラグを、前記配信メッセージ寄託に付加する工程、及び前記配信メッセージ記録の一部として前記送信決定を格納する工程を含む前記ピア公共サービスメッセージ配信システムによって、前記寄託された配信メッセージ記録を、認証する工程、受理する工程又は拒否する工程を特徴とする請求項２０に記載の方法。
【請求項２７】
前記ピア公共サービスメッセージ配信システムは、領域の、国営の、自治州の、州の又は地域の公共サービスメッセージ配信システムのうちの一つであることを特徴とする請求項２０に記載の方法。
【発明の詳細な説明】
【技術分野】
【０００１】
本発明は、メッセージ配信システムに関し、特に各種の地理的及び／又は政治的管轄区域間のメッセージ配信のルーティング及び管理に関する。
【背景技術】
【０００２】
この部分における記述は、本発明の開示に関する背景技術情報を単に提供するものであり、先行技術を構成しなくてもよい。
【０００３】
２００１年９月１１日のテロ事件に起因して、公共サービスメッセージ配信及び公衆への警告を提供する現在のシステムの能力に対する懸念が増大してきた。既存の公共サービス警告システムは旧式であり、潜在的な緊急事態又は危険を知る必要のある公衆に対しては制限付きアクセスしか提供していない。加えて、既存のシステムは、地域ベースの通知又は配信メッセージを規定していない。
【０００４】
そのようなものとして、公衆に影響を与える潜在的災害にかかわる人々に、タイムリーな情報を提供する改良された方法及びシステムが必要である。提案された一の解決策は、携帯電話や互換性のある装置を用いた大量のメッセージングを目的とする加入を基盤としたショートメッセージサービス(Short Message Service: SMS)メッセージ機能を使用することである。しかしながら、ＳＭＳシステム及び技術には技術的な制約がかなりあり、このようなシステムは、経験上、ＳＭＳメッセージの配信における大幅な遅延や、混雑状態に起因するネットワークに対する悪影響のために、期待はずれである。加えて、数千又は数万ものＳＭＳ呼設定の要求がされることによって、上述の処理が急増することを考慮すると、ＳＭＳメッセージングは、電気通信システム及びインフラに対してかなりの呼処理負荷を与える。配信ＳＭＳ量の潜在的イニシエーション(potential initiation of broadcast SMS volumes)は、ＳＭＳメッセージングのネットワーク資源に影響を及ぼすのみならず、メッセージ配信期間中に音声トラフィックの設定及び支援を行う電気通信ネットワーク能力に悪影響を及ぼすであろう。なぜなら、これらの資源は両サービスによって共有されるからである。
【発明の開示】
【発明が解決しようとする課題】
【０００５】
ＳＭＳ及びワイヤレスアクセスプロトコル(Wireless Access Protocol: WAP)メッセージングシステムは、音声呼設定等のその他の目的には利用不可能され、ＳＭＳ及び／又はＷＡＰ送信のうち制限された数を処理することだけ可能とする送信チャンネル上の容量を使用している。送信そのようなものとして、ヘビーメッセージング(heavy messaging)中、関連する大量のメッセージングトラフィックは、音声呼設定を含むその他のサービスに悪影響を及ぼすであろう。
【０００６】
一般に、既存のシステムは、地域ベースではなく、それ自体は規定された地理的な位置内にいる対象とする受信者にメッセージを送信しない。従って、地域ベースの顧客通知やその他の地域ベースの配信サービスに対して魅力的な解決策を提供していない。
【０００７】
本発明では、改良されたルーティング及び管理システムと、各種の地理的及び／又は政治的管轄区域内で動作するメッセージ配信方法とを設計することに成功した。
【課題を解決するための手段】
【０００８】
一の態様では、少なくとも一の地理的に異なるジオフェンスピア公共サービスメッセージ配信システム(geo-fenced peer public service message broadcast system)への配信エージェントメッセージの寄託及び送信を管理する公共サービスメッセージ配信システム及び方法は、配信メッセージ及び配信対象エリアを規定する配信メッセージ発信元によって配信メッセージ記録を作成する工程と、配信メッセージ発信元の配信メッセージ有効性を認証する工程とを含む。この方法は、配信メッセージ記録をピア公共サービスメッセージ配信システム(peer public service message broadcast system)に送信する工程と、関連配信メッセージネットワークへの送信のために受信された配信メッセージ記録を有効にする工程とも含む。
【０００９】
他の態様では、配信メッセージを配信対象エリアに提供する公共サービスメッセージ配信システムは、配信メッセージインターフェース、配信アドミッションコントロールモジュール及び階層的ジオフェンス配信メッセージルーティングサブシステムを含む。配信メッセージインターフェースは、配信対象エリア及び配信メッセージを含む配信記録を受信し、配信メッセージを受信する少なくとも一の監督用公共サービスメッセージ配信システムを規定し、配信メッセージ、配信対象エリア、配信メッセージ発信元識別子、及び配信メッセージを受信する少なくとも一の監督用公共サービスメッセージ配信システムを含む配信メッセージ記録を生成するように構成される。配信アドミッションコントロールモジュールは、配信メッセージ記録を受信し、配信メッセージ発信元識別子、配信対象エリア及び監督用公共サービスメッセージ配信システムルーティングパラメータのうちの一又は複数に応じて配信メッセージ記録を有効にし、ジオフェンス配信ルーティングパラメータを含む有効にされた配信メッセージ記録を生成するように構成される。階層的ジオフェンス配信メッセージルーティングサブシステムは、有効にされた配信メッセージ記録を受信するように構成されており、監督用公共サービスメッセージ配信システムは、メッセージ送信に応答し、有効化された配信メッセージ記録を、地理的に異なる複数のサブテンド公共サービスメッセージ配信システム(sub-tending public service message broadcast system)に送信するように構成されている。
【００１０】
他の態様では、少なくとも一の地理的に異なるジオフェンス公共サービスメッセージ配信システムへの配信メッセージの寄託及び送信を管理する公共サービスメッセージ配信システムサービス方法は、配信メッセージ発信元によって配信メッセージを生成する工程と、配信対象エリアを規定する工程と、配信メッセージ、配信対象エリア及び配信メッセージ発信元識別子を含む配信メッセージ記録を生成する工程とを含む。この方法は、配信対象エリアを含む配信メッセージ発信元についての配信メッセージ記録の有効性を認証する工程と、複数の監督用公共サービスメッセージ配信システムの中から一の監督用公共サービスメッセージ配信システムを選択する工程とも含む。この方法は更に、認証された配信メッセージ記録を選択された監督用公共サービスメッセージ配信システムに送信する工程と、配信対象エリアのうちの少なくとも一部に配信メッセージ送信サービスを提供する、第２の監督用公共サービスメッセージ配信システム及びサブテンド公共サービスメッセージ配信システムのうちの少なくとも一方に、受信可能な配信メッセージ記録としての送信のために、選択された監督用公共サービスメッセージ配信システムによって、認証された配信メッセージ記録の受容性を決定する工程とを含む。この方法は、受信可能な配信メッセージ記録を、第２の監督用公共サービスメッセージ配信システム及びサブテンド公共サービスメッセージ配信システムのうちの少なくとも一方に送信する工程も含む。
【００１１】
他の態様では、配信メッセージを配信対象エリアに提供する公共サービスメッセージ配信システムは、配信メッセージ、配信対象エリア及び配信メッセージ発信元識別子を含む配信メッセージ記録を受信し、配信メッセージを受信する地理的に異なる二つのピア公共サービスメッセージ配信システムを識別し、配信メッセージ、配信対象エリア、配信エージェント識別子、及び各々が受信された配信メッセージを、配信対象エリアの少なくとも一部に送信するように構成された地理的に異なるピア公共サービスメッセージ配信システムの少なくとも一つを含む配信メッセージ記録を生成するように構成された配信メッセージインターフェースを含む。このシステムは、配信メッセージ記録を受信し、配信メッセージ発信元識別子、配信対象エリアの少なくとも一部及び一又は複数の地理的に異なるピア公共サービスメッセージ配信システムのうちの一又は複数に応じて配信メッセージ記録を有効にするように構成された第１配信アドミッションコントロールモジュールも含む。このシステムは更に、地理的に異なるピア公共サービスメッセージ配信システムに関連する第２配信アドミッションコントロールモジュールに、有効にされた配信メッセージを送るように構成された第１ピアジオフェンス配信メッセージルーティングサブシステムと、送信された配信メッセージ記録を受信し、配信メッセージ発信元識別子、第２配信アドミッションモジュールに関連する配信対象エリアの少なくとも一部及び第２配信アドミッションコントロールモジュールに関連する配信メッセージ送信ネットワークのうちの一又は複数に応じて配信メッセージ記録を有効にするように構成された第２配信アドミッションコントロールモジュールとも含む。
【００１２】
本発明の更なる態様は、以下に記載された詳細な説明から明らかになるであろう。当然のことながら、詳細な説明及び実施例は、本発明の好適な実施例と例示しているが、単に例示を意図するだけであり、本発明の範囲を制限するものではない。
【００１３】
本発明は、詳細な説明及び添付の図面からより完全に理解されるであろう。
【００１４】
対応する参照符号は、全図面を通して対応する部品を示す。
【発明を実施するための最良の形態】
【００１５】
以下の説明は本質的に単なる例であり、本発明の開示、適用又は使途を制限するものではない。
【００１６】
本発明の一又は複数の実施例に係る公共サービスメッセージ地域配信システム(Public service message Location Broadcasting System: PLBS)は、公共サービス配信メッセージングのための改良されたシステム及び方法を提供する。公共サービスメッセージ地域配信システム(PLBS)オペレータは、配信エージェントウェブポータル(Broadcast Agent Web Portal)又はウェブページ或いはその他の類似のグラフィカルユーザインターフェース(GUI)、ネットワークのセル配信メッセージング(cell-broadcast messaging)構成要素の実施及び維持、ネットワーク及びプラットフォーム、公共サービスメッセージ地域配信システムの管理及び操作、並びにインターフェースを、携帯端末サービスプロバイダを含むローカル電気通信サービスプロバイダに対して提供する。
【００１７】
深刻な公衆の緊急事態の場合における一実施例によれば、ショートテキストメッセージが地域配信チャンネル(location broadcast channel)を通じて送信される。地域ベースの配信メッセージを受信するように構成されている携帯端末又は配信エージェント電話(Broadcast Agent phone)は、アイドル（待機）モードで所定セルに位置する場合に配信メッセージを受信し、そのメッセージをスクリーンに表示する。
【００１８】
地域ベースのメッセージ配信は、所定セルからダウンリンク専用モードで送信される。従って、現在のＳＭＳサービスとは異なり、モバイルサービスプロバイダ、又は例えばＨＬＲ、ＶＬＲ等のモバイルサービスプロバイダのモバイル管理資源のいずれか、からの機能性又はネットワーク資源を必要としない。
【００１９】
公共サービスメッセージ地域配信システムは、単一のＳＭＳメッセージよりも支援ネットワークへの影響を低減しつつ、何百万もの加入者への公共サービスメッセージの同時送信を提供する。それ自体に起因するネットワークの混雑は、極めて小さいか全くない。
【００２０】
公共サービスメッセージ地域配信システム(PLBS)は、公共サービス又は政府団体から、緊急事態又は公共サービスメッセージング、及び対象配信エリアの識別番号(identification)を受信する。ＰＬＢＳは、地域ベースの配信メッセージの使用可能性、セキュリティ、複数通信事業者相互運用性、及び電気通信サービスプロバイダや対象配信エリア内でサービスを提供するその他のネットワークオペレータとの接続性を提供する。
【００２１】
一又は複数の実施例に係る公共サービスメッセージ地域配信システム及び方法は、所定の危険な状態にある地理的な地域又はエリア内にある、又はそこへ侵入する全ての互換性のある電気通信受信装置に対して、公式の政府から市民への情報配信であるメッセージの生成、伝送、配信及び表示を提供する。
【００２２】
ＰＬＢＳシステムは、公認メッセージング団体によって、公衆の安全に影響を与えうると判断された出来事に関連する任意の公共サービス又は緊急事態情報を送信する。これらは、公共施設の供給停止、行方不明になっている子供警報、深刻な気象警報、洪水警報及びテロリスト脅威警報を含むが、これらに制限されるものではない。メッセージは、ローカル電気通信ネットワーク及びその他のローカルネットワークオペレータと共に加入する公共サービスメッセージ地域配信システムによって配信される。
【００２３】
受信者の身元、所定の固定配信地域及び通常はサービス料の支払いを必要とするその他の緊急事態メッセージングサービスとは異なり、公共サービスメッセージ地域配信システムは、プレイベント受信者の行動を必要とすることなく、リアルタイムで無限数の人々に到達するように、またメッセージチャンネルを受信するために設定された電話に到達するように、配信メッセージング技術を用いる。
【００２４】
公共サービスメッセージ地域配信システムは、加入する電気通信ネットワークに対する影響を最小限にしつつ、単一のセル地理的地域(cell geographic location)、近隣、都市又は国全体に、メッセージ又は警告を提供するためにセル配信ＳＭＳ(Cell-Broadcast SMS: C-BSMS)技術を用いる。
【００２５】
ローカル配信メッセージネットワークオペレータ及び／又はモバイル又は携帯電話サービス通信事業者等の電気通信サービスプロバイダは、公共サービスメッセージ地域配信システムに、標準及び一般的な携帯電話装置を用いて危険な状態にある公衆に対し、公共メッセージをタイムリーに送信を可能ならしめるローカル電気通信インフラ及びインターフェース技術を提供する。
【００２６】
ここに記載の公共サービスメッセージ地域配信システム及び方法は、規定された配信対象エリアに対し、要求された配信メッセージを送信する権限を与えられている配信エージェント(Broadcast Agent)を実現するために必要な機能及び工程を提供する。ここに記載のＰＬＢＳ構造は、ネットワーク及び構成要素が安全であり、且つメッセージが送信前に認可されていることを保証する内部統制を提供する。公共サービスメッセージ地域配信システムは、配信対象エリアの簡潔でタイムリーな定義付け、メッセージ及び配信エージェントの認証を保証するために、配信エージェントに対してインターフェースを提供する。公共サービスメッセージ地域配信システムは、加入する電気通信サービスプロバイダと、配信対象エリアへの配信メッセージの配信を提供するその他のＰＬＢＳシステムとを接続するための相互接続性及び機能性も提供する。
【００２７】
公共サービスメッセージ地域配信システムは、５つの部分からなる。即ち、
１．公共サービス地域配信サービス機関(PSMBs又はPLBS)
２．配信エージェント端末／ウェブポータル／ウェブページ  
３．公共サービスメッセージ配信制御器／分配器
４．通信事業者配信センタ(Carrier Broadcast Center: CBC)
５．公共サービス地域配信レポータ
【００２８】
公共サービス地域配信システム(PLBS)１００の一の模範的実施例を図１に示す。一例として図１にＰＳＭＢＳ配信仲介サーバ(PSMBS Broadcast Broker Server)として表示された公共サービス地域配信サービス機関１０２は、各種システム構成要素との、及びメッセージを所定の対象エリア又は地域にある携帯端末に配信可能である各種ネットワークとの、インターフェースを含む。
【００２９】
一又は複数の配信エージェントアクセス装置１０４は、公共サービス地域配信サービス機関１０２(PLBS-SB)に接続可能であり、cell＠lert表示１０６を配信エージェントに提供するように構成されている。ここに記載のcell＠lert表示は、配信エージェントにメッセージ入力とメッセージ配信のための地理的対象エリアの規定とを可能ならしめるインターフェースを含む。cell＠lert表示１０６は、ＨＴＭＬフォーマット（図示）又は他のウェブサーバ（図示しない）におけるサービス機関１０２のウェブサーバ(Web Server)１０３によって主催されるウェブページの形態であってよい。ウェブサーバ１０３は、他の施設に遠隔設置されていてもよい。ＰＳＭＢＳ仲介サーバに接続するためのウェブサーバインターフェースは、標準セルアラートプロトコル(Cell Alert Protocol: CAP)を用いる。他の実施例では、配信エージェントアクセス装置１０４は、コンピュータ又はパーソナルコンピュータであってよく、cell＠lert表示は、配信エージェントのパーソナルコンピュータに格納されている該パーソナルコンピュータでサポートされたソフトウェアによって生成される画像であってよい。配信エージェントアクセス装置１０４は、様々なデータ通信プロトコル（図示しない）を用いて、任意の種類の適切なデータ通信施設１０５を介してサービス機関１０２に接続可能である。
【００３０】
配信エージェントシステム(Broadcast Agent System)又はコマンドモジュールとも称される配信コマンダ(broadcast commander)１０８は、サービス機関１０２に接続可能であり、ＰＬＢＳシステム１００における一以上の工程の管理制御又は「命令」制御を提供可能である。配信管理者又はオペレータは、配信エージェントアクセス装置１０４にアクセスする配信エージェントに対するアクセス制限又は制約を設定するためだけでなく、同様にＰＬＢＳシステム１００に対する他の管理上の機能も設定するために、配信エージェントシステム１０８を用いることができる。配信エージェントシステム１０８とサービス機関１０２との間のインターフェースは、通信施設又はリンク１０９を通じて送信される配信メッセージング専用プロトコル(Broadcast Messaging Proprietary Protocol: BMPP)又はセルアラートプロトコル(CAP)を用いることができる。このような通信リンク１０９は、通信を支援するのにふさわしい任意の種類の通信施設であってよく、任意の互換性のある通信プロトコル（図示しない）を使用できる。
【００３１】
セル配信レポータ(Cell Broadcast Reporter)又は配信レポータシステム(Broadcast Reporter System)とも称されるＰＳＭＢＳ配信モニタ(PSMBS Broadcast Monitor)１１０も、サービス機関１０２に接続可能であり、配信メッセージ報告プロトコル(Broadcast Message Reporting Protocol: BMRP)又は標準セルアラートプロトコル(CAP)を用いてサービス機関と連動可能である。配信モニタ１１０は、配信メッセージングデータを格納し、一以上のエリアにおける過去、保留中及び未来の配信メッセージに関する報告を準備及び生成するように構成されてよい。配信モニタ１１０は、災害管理事務所、制御室又はＰＬＢＳ−ＳＢ１０２に設置されてよい。
【００３２】
サービス機関１０２は、一以上の地域の通信事業者ネットワーク(local carrier network)１１２と通信的に接続可能である。図１は、サービス機関１０２に接続された二つのセルラ通信事業者ネットワーク(cellular carrier network)１１２Ａ及び１１２Ｂを示すが、他の実施例において、サービス機関１０２は、複数の各種通信ネットワークと接続可能である。この各種通信ネットワークは、公共及び／又はプライベートネットワークの組み合わせを含む、セルラの(cellular)、無線の、有線の、衛星の、広域の、大都市エリアの及びローカルエリアのネットワーク、ケーブルテレビネットワークを含むが、これらに制限されない。接続されたネットワーク１１２は、データ通信リンク１１３を介してサービス機関１０２から配信メッセージ及びローカル配信指示を受信するセル配信センタ(Cell Broadcast Center: CBC)１１４（又はネットワーク配信モジュール）を含んでよい。このようなデータ通信リンク１１３は、アクセスネゴシエーション及び配信すべきメッセージの配信を可能とする各種適切な通信プロトコルのうちのいずれか一つを動作させる任意の種類の通信施設であってよい。例えば、図１に示すように、配信メッセージ寄託プロトコル(Broadcast Message Submission Protocol: BMSP)は、サービス機関１０２と一以上のネットワーク１１２との間の通信で用いることができる。他の実施例において、ＣＢＣ１１４Ｂは、ＣＢＣ１２４Ｂとして例示されるＰＬＢＳセンタに設置されてよく、より小さなネットワークによって共有され、ネットワーク１１２Ｂに設置された切替センタ(switching center)１１６（１１６Ｂとして図示）と連動してよい。他の実施例では、二つのネットワークであるネットワークＣ及びネットワークＤにサービスを提供するために、ＰＬＢＳにおいて二つのＣＢＣが必要とされる。これらのネットワークは、一意的にアクセスされる必要のある重複サービスエリアを有するためである。他の実施例では、ＰＬＢＳは、他の警告システム／出力(Other Warning System/Outputs)１２２並びに警告システム１２３Ａ、１２３Ｂ及び１２３Ｃと交信する。これら他の警告システムは、アラーム、サイレン及びドットマトリックスメッセージボードを含んでよいが、これらの代替物に制限されるものではない。
【００３３】
公共サービス地域配信サービス機関(PLBS-SB)１０２は、好ましくは安全なＰＬＢＳオペレータの所在地に設置されている。ＰＬＢＳ−ＳＢ１０２は、メッセージの信頼性及びそのようなメッセージを作成する送信者の信頼性を保証する。管理オペレータは、配信エージェントの権利と特権を制御するために管理サブシステムにおいてユーザプロフィールを構築する。例えば警察署における配信エージェント端末１０４からＰＳＢＳ−ＳＢ１０２への信号は、対象とすべき地理的エリアとメッセージを示すだけであろう。そしてＰＬＢＳ−ＳＢ１０２は、配信リクエスト信号を、関係する各地域の通信事業者の事務所における通信事業者配信センタ(Carrier Broadcast Center)１１４に送信する。
【００３４】
ＰＬＢＳ−ＳＢ１０２は、ＰＬＢＳサービス費用を割り当てるのに必要とされる請求ゲートウェイ管理機能も実行する。ＰＬＢＳ−ＳＢ１０２は、格納されたロケーション配信メッセージングデータ(location broadcast messaging data)を使用でき、一の実施例においては、公共サービス配信エージェントによって要求された地理的範囲にアクセスすることができる。ＰＬＢＳ−ＳＢ１０２は、配信エリアの人口密度を測定又は算出するように構成されてよい。ＰＬＢＳ−ＳＢ１０２は、顧客アカウントデータ、認証、セキュリティ、並びに顧客、管轄区域、又は配信エージェントに対する制約の管理及び適用も管理してよい。
【００３５】
各アカウントに対して、配信エージェント管理者は、配信エージェントシステム(Broadcast Agent System)１０８へのアクセス権を任命及び提供されている。情報技術サービスグループの誰かにこの権限を委任するかもしれないが、警察署長又は市政代行官等の公認権威者が、このような役割にふさわしいであろう。配信エージェント管理者（又はその代理人）は、該配信エージェント管理者の管理下にあり、配信エージェント管理者の下で、該配信エージェント管理者の権限と同等の権限を有する配信エージェントアカウントを幾つか有している。例えば、配信エージェントの管轄区域は、配信エージェント管理者のそれ以内である。
【００３６】
ＰＬＢＳ−ＳＢ１０２を用いて、管理オペレータは、配信エージェント管理者の真偽を確認及び／又は検証し、配信エージェントの組織における管轄区域を規定又は有効化する。管理オペレータは、顧客及びエージェントプロフィールをＰＬＢＳ１０２内で管理する。管理オペレータは、ＰＬＢＳ−ＳＢ１０２の動作に対する操作上の及び管理上のデータ、並びにプロフィールを管理するための安全なアクセス方法を有する。最良の実施及び覚書(Memoranda of Understanding: MOU)は、政府機関及び／又は地域の通信事業者によって決定される。例えば、ある沿岸警備隊司令官は、非常に範囲が広いだろうが、沿岸領域のみへのアクセス権を有してもよい。他の実施例では、河川局のマネジャーは、迫り来る洪水について警告できることを示すガイドラインを有しているであろうが、人々に水の使用を節約するようには要請しないであろう。河川局の管轄区域は、川、水路及び氾濫原のみを含んでいるであろう。
【００３７】
任意のデータ及び／又は任意の要因は、管理オペレータによってＰＬＢＳ−ＳＢ１０２に入力されてよく、システム運用のためにＰＬＢＳ−ＳＢ１０２によって用いられてよい。各配信エージェント管理者は、配信エージェントが属するアカウントを有する。アカウントは、配信エージェント管理者によって蓄積された使用法を示すために更新される。記録されたデータ及び要因は、下記を含む。即ち、
１．警告言語
２．配信エージェント管理者アカウント所有者連絡先の詳細
３．メッセージ配信の総数
４．到達ポップ総数(Total Pops reached)
５．メスポップ数量(Mess-Pops figure)（メッセージ数×到達ポップ）
６．ログ（各配信は、後で検査するためにアカウント上に記録される）
７．契約満期日
８．この配信エージェント管理者に対して許可されたネットワーク
９．許可チャンネル数
１０．メッセージ、フットプリント(Footprint)及び配信ライブラリ
１１．管轄区域制限
１２．ポップ制限
１３．メッセージ長制限
１４．ウェブポータルの言語
１５．報告パラメータ及びアドレス
１６．アドミッション規則及びサービスの拒否等の操作イベント
【００３８】
状況次第では、管理オペレータ及び／又は配信エージェント管理者に対してｅメール又はウェブページ形態のレポートを送信又は利用可能としてよい。このようなレポートは、アカウントクレジットが満了間近であるという警告、或いはアカウント状態又は活動状態を含んでよい。このようなレポートは、一定又は特定の間隔で、規定又は要求又は提供されてよい。
【００３９】
サービスは、配信エージェント又はそのクォータ(quota)を超えた配信エージェント管理者に対して自動的に拒否されてよい。
【００４０】
他の場合では、アカウント状態に関する情報は、ログオン時及びメッセージ寄託時に配信エージェントに信号で伝えられてよい。これにより、配信エージェントは、そのクォータが限度に近い場合には保存することについて再考してもよい。
【００４１】
ＰＬＢＳ−ＳＢ１０２は、特定の配信エージェント管理者及び関連配信エージェントに対する地理的エリアである配信メッセージ管轄区域を規定してもよい。配信メッセージ管轄区域は、任意の数の要素、データ又はサービスを規定してよい。第１の要素は、配信エージェント管理者の配信エージェントに、アクセスされる或いは地図形式で表示される、地理的領域又はエリアの定義又は割当である。加えて、配信メッセージ管轄区域の全部又は一部は、公共サービス配信メッセージが送信されるべき、一以上の配信メッセージ対象エリア又は「配信対象エリア／フットプリント」に対して、有効であってもよいし、無効であってもよい。第２の要素は、電気通信地域通信事業者（例えばネットワーク１１２）の識別番号及び規格と、特定の配信エージェント管理者又は配信エージェントによって発せられたメッセージに含まれる他の配信メッセージネットワークの識別番号及び規格とである。これは、一以上のネットワーク１１２、ネットワーク構成要素（例えば通信事業者配信センタ１１４又はネットワーク切替センタ等）、又は配信メッセージが提供されるサブネットワークを規定することを含んでよい。
【００４２】
配信エージェント管理者は、その配信メッセージ管轄区域、及びその管理下にある又はその配信メッセージ管轄区域内の一以上の配信エージェントに関連する更なる制限又は規則を設定できる。例えば、警察又は消防署内の様々な人員に対して異なるレベルの権限を規定してよく、また、警察又は消防署のサブ境界(sub-boundaries)に基づくサブエリア又はサブ管轄区域を割り当ててもよい。
【００４３】
各配信エージェント管理者に対して、配信対象エリア／フットプリントライブラリは、配信エージェント間で生成及び共有される。しかしながら、場合によっては、配信エージェント管理者は、既存の契約に基づいて、配信対象エリア／フットプリントを予め規定したいと望むかもしれない。例えば、これらは、竜巻警報区域(tornado watch box)又は化学工場周辺等の法定警告ゾーンを含んでよい。
【００４４】
この場合、配信エージェント管理者は、幾つかの配信エージェントに対し、配信対象エリア／フットプリントライブラリのみアクセス可能とする、又はライブラリ及び地図ツールを使用可能とする選択権を有する。他の配信エージェントは、新たな配信対象エリア／フットプリントを作成し、それをライブラリに格納する権限を有してよい。
【００４５】
場合によっては、配信対象エリア／フットプリントエリアは、複雑であるかもしれない。アドバンストフットプリントライブラリの特徴は、配信エージェントが、対象とすべきエリアを予め規定し、それらを配信エージェントに特有の配信対象エリア／フットプリントのライブラリに格納することを可能ならしめる。例えば、ある川の氾濫原は、複雑すぎて簡単なマウスのクリックでは規定できない可能性がある。その配信対象エリアの規定は前もって行われ、その後、緊急メッセージがまさに発せられる時に迅速に読み出されるべきである。他の場合には、竜巻注意区域(tornado warning box)が、政治的境界に基づいて予め規定され、そのようなものとしてより容易に参照することができる。
【００４６】
この特徴は、特定の配信エージェントが、例えば主要なハイウェイ、又はビーチ等の沿岸地域を対象とする権限を有する場合のみ必要とされてもよい。これらは、管理オペレータによって予め規定可能であり、その後、配信エージェントが対象配信エリアに関する制限された権限を有するようにロック可能である。
【００４７】
一のメッセージが何人のエンドユーザに到達できるかについて制限はなく、理論的には、公認オペレータが同時に国内の全ての人にそのメッセージを送信してもよい。大抵の権限は比較的制限されているため、アカウントは配信エージェント毎に開設され、それにより一のメッセージによって対応されるべきエリアを決定してよい。アドミッションコントロールの特徴は、手続きを許可する前に、ポップ図(pop figure)が存在するかどうか、新規メッセージを夫々確認する。ポップ図確認が失敗した場合、そのメッセージは拒否され、配信エージェントはＰＳＭＢＳ配信モニタシステム１１０から説明付きのメッセージ及びレポートを受信する。継続するには、配信エージェントは、そのエリアを、一のあまり意欲的ではない（即ち、ポップ数の少ない）ように設定する、又はより多くのポップ権限を有する他の配信エージェントへ権限を要求することができる。ポップ図は、各配信エージェントについて管理システムが格納する使用統計を生成するために用いられてもよい。承認された制限を配信エージェントが超えた場合、アカウントを閉じ、これを説明するｅメールを配信エージェント管理者に送信することができる。
【００４８】
ラジオ基地局の間隔は人口密度が増大するにつれて減少するので、ポップの制御は地域通信事業者１１２にも提供されている。密集した都市エリアは、田舎の環境における同じ対応エリアよりも多いセルによって対象とされている。信号伝達の観点からは、田舎におけるエリアよりも都市におけるエリアのほうが、多くのセルに信号が送られる。従って、ポップとネットワーク負荷との関係を考慮すべきである。例えば、メッセージ数及び対象人口の積［Mess*Pops］は、請求額を決定するための一つの有力な単位である。なぜなら、ポップ図はアカウント管理によって生成されるレポートから直接利用可能だからである。
【００４９】
配信メッセージは、互いにリンクしあう、８２個の４ビット長データ(character)からなる１５個のメッセージから構成されてよい。メッセージの標準的なデフォルト最大サイズは、第２生成ＧＳＭシステムによって用いられる、９３個の４ビット長データ又は８２個の８ビット長データ(octet)であってよい。しかしながら実際には、各メッセージは、多言語メッセージをサポートするため及び実用化の理由から、それよりも小さいはずである。配信エージェント管理者は、個々のメッセージの長さに制限を課してよい。配信エージェント管理者は、その管理の範囲内で、全配信エージェントによって合計でどのくらい送信されたかについても制限を課してよい。アドバンストメッセージダイアログボックス上の拡張メッセージボタンは、要求に応じ、更なるメッセージ容量の設定を提供する。将来のシステムについては、メッセージは、次世代ワイヤレス技術のマルチメディア配信メッセージサービス(Multimedia Broadcast Message Services: MBMS)といわれる、写真、音声ファイル、ショートビデオ又は地図等のマルチメディアメッセージを含んでよい。このような場合、マルチメディアファシリティダイアログボックス(multimedia facility dialogue box)が用いられる。
【００５０】
配信エージェント管理者は、メッセージライブラリ内に定型メッセージ(set messages)を予め規定してもよく、アカウントによっては所定メッセージのみを配信してもよい。他のアカウントは、それら自身のメッセージを生成して、ライブラリに格納可能であってよい。過去のメッセージも、後で読み出す又は再現するために、メッセージライブラリに格納される。アドバンストメニュー又はクイックメッセージボックス上のアドバンストボタンから、配信エージェントはアドバンストメッセージパネルを選択できる。ここで配信エージェントは、メッセージを制御する選択権をより多く有している。例えば、特定のメッセージが頻繁に用いられてもよいし、或いはメッセージの厳格な表現が、予めより高度な政治的レベルで承認され、この表現のみが配信されてよい。このような場合、配信エージェントは、該配信エージェントが利用可能な標準メッセージのメッセージライブラリから選択する。このシステムは、過去のメッセージを格納し、これらのメッセージを再送信のために読み出すことができる。
【００５１】
このシステムは、緊急事態が長期間継続する場合に、メッセージを再送信する機能を提供する。なぜなら地域配信メッセージは限られた期間だけ続き、再送信されるからである。他の場合には、配信イベントは、水位装置等の自動機械によってトリガーされてよい。そのような場合、このイベントは、その組織に対する配信エージェント管理者と、政府当局及び地域通信事業者が合意したガイドラインに従って、ＰＬＢＳ−ＳＢ１０２のアカウントを管理する管理オペレータと、の間の先の合意によって定められたような所定メッセージをトリガーする。
【００５２】
配信提案(Broadcast Proposal)は、メッセージ及び配信対象エリア／フットプリントの両方を含む。場合によっては、配信対象エリア／フットプリント及びメッセージは、メッセージをいつ送信するかに関する選択権のみを、他の配信エージェントに与える一の配信エージェントグループによって、予め規定されてよい。また、配信ライブラリは、迅速な読み出しのため、及び配信エージェント組織内の内部管理のために、先に送信されたメッセージのコピーと、それらの配信対象エリア／フットプリントとを保管する。
【００５３】
このシステムは、幾つかの言語による公共メッセージの配信も提供する。この場合、配信エージェントは、他の言語のメッセージがコンパイルされるまで手続きを許可されないであろう。或いは、配信メッセージは、各々が入力されながら各言語で送信されてよい。そうでなければ、ベストエフォート型(best effort)翻訳のために、翻訳サーバに信号が送られてもよい。アカウント管理パラメータはこれを決定可能である。
【００５４】
多くの場合、エンドユーザは、異なる言語が第１言語である地域からの旅行者であるかもしれない。そのような場合、各言語の警告に対して別々のチャンネルを保持することにより、このエンドユーザは自分の言語のメッセージを受信するであろう。これは、多言語国家、又は国境沿い等の国の一部においても必要とされるであろう。ＰＬＢＳオペレータ又は配信エージェント管理者は、政府当局によって、複数言語のメッセージを送信するように要求されてもよい。そのような場合、管理システムは、配信エージェントに、全ての要求された言語に関するメッセージを利用できるようにする。そしてそれらを互いにリンクさせて、一のメッセージが読み出されると、全てが一緒に読み出されて同じメッセージであるかのように取り扱う。
【００５５】
配信エージェントは、他の言語によるメッセージの読出及び記録ができなくてもよい。例えば、中国語やアラビア語が読み出せなくてもよい。この場合、配信エージェントは、自動的に他言語メッセージに一致するメッセージのライブラリに行くことができる。しかしながら、これは、メッセージを、変数を含まないものに制約する。
【００５６】
配信停止時に、配信エージェントが、ネットワークからのメッセージの読み出しを決定し、それを要求する場合は、リンケージ(linkage)は、全ての言語が同時に読み出されることを保証するであろう。
【００５７】
このシステムは、単一の配信がどのくらい配信され続けるのかの規格も提供する。例えば、多くの状況では２０分間の配信は十分な長さであり、この後、再度メッセージを送信する旨の新たな命令を開始することができる。ＰＬＢＳは、配信エージェントアカウントで設定すべきデフォルト時間を提供してよい。加えて、アドバンストメニューの選択肢において、配信エージェントは、開始及び終了時刻を設定できるようにされてよい。
【００５８】
他の場合、通信事業者又はそれらのネットワーク１１２は、配信メッセージが、セル１１８に特有の開始時刻及び終了時刻を有することを要求してよい。メッセージはセル１１８に保管され、開始時刻となる際にのみ送信され、そして送信は、メッセージを中断する旨の命令がセル１１８によって受信されない場合は、終了時刻となるまで一定間隔で行われる。そのようなものとして、ＰＬＢＳは、ＰＬＢＳ−ＳＢ１０２にＮＯＷ（現在）と設定されたデフォルト開始時刻と、２０分と設定された終了時刻とを含む。状況によっては、配信エージェントは、予め所定時刻に配信するメッセージを設定するか、或いは配信時間を長時間又は短時間と設定する権限を有してよい。例えば、配信エージェントはハイウェイの遮断を計画しているかもしれない、そして、それに応じて夜のメッセージを予め作成しているであろう。これは、ラジオやその他において注意が必要であるちょうどその時に、多忙な司令部の人手を軽減する。
【００５９】
アドバンストメッセージウインドウでは、デフォルトに設定された開始及び終了時刻ボックスが現れてよい。配信エージェントは、これらを変更する選択権を有しているが、通常通り、管理システムは、メッセージを実行する前に、配信エージェントがそのようにする権利を有することを確認する。
【００６０】
チャンネルコードは、順に対象とされたメッセージエンドユーザ受信者(targeted message end user recipient)を規定する送信されたメッセージの種類を規定する。端末を有する加入者エンドユーザは、自身の判断でチャンネルの電源を入れるか切るかする必要がある。アカウントは、どのチャンネルコードがこの配信エージェントに対してデフォルトであるか、及びどれが許可されているか、を規定するであろう。
【００６１】
配信メッセージは、チャンネルコードによって進められる。エンドユーザには、自分の電話のメニューを介して受信したいメッセージの種類を選択する選択権が与えられてよい。携帯電話によっては、メッセージ受信ができないように設定されたデフォルト状態で販売される。しかしながら、配信メッセージの大量配信を可能にするために、各種メッセージの種類に対してチャンネル番号は規定される。
【００６２】
いずれにせよ、配信エージェントは、公衆に警告を呼びかけること以外に、他の特別な必要性を考慮している。配信エージェントは、例えば、警察官又は地域のネイバーフッド・ウオッチ(neighborhood watch)ボランティアにのみ呼びかけたいと望んでいるかもしれない。他の例では、ある条件及び地域において、例えば音を出すサイレンである、確実な方法での実施を見込まれざるを得ないエリアには、自動機器が存在してよい。そのような場合、異なるチャンネル番号が規定される。
【００６３】
配信エージェントが権限を有する場合、チャンネル番号は変更されてよい。簡単な場合、デフォルトは公共安全メッセージング用の標準コードである。いずれにせよ、配信エージェントの権限を検証するためにメッセージが送信される前に、このコードは、配信エージェント管理者によって、配信エージェントプロフィールと照合される。
【００６４】
多くのエリアでは、複数の公用語が使われている。そのような領域では、メッセージ言語優先度(message language priority)の順序が異なる、一の言語を話す人々は、普段から、多数の公用語がある国々へ越境して入ることができる。海運等の他の場合、どの国の近くに船がいるかに関わらず、情報は同一コード上にあるべきである。従って、このシステムは、ある領域に対して全ての主要公用語で警告メッセージを送信する機能を提供する。このシステムは、この要求の対処にネットワーク及び柔軟な政治的権限を与える機構を備える。
【００６５】
エンドユーザは、自身の電話の一以上の機能を有効にするように要求されてよい。エンドユーザは、自身の言語でメッセージを取得できると知っている場合は、それを行おうとする可能性がある。エンドユーザが複数の言語を話せる場合は、自身の判断で複数のコードを有効にする可能性がある。加えて、エンドユーザが、旅行者又は出張中のビジネスマンである場合、滞在国がメッセージをそのようなものとして、旅行者等に送信すれば、自身の言語でメッセージを取得できる。例えば、空港では、乗客がその地域の言語を話すか否かに関わらず乗客に警告を与えるために、公用語だけでなく英語で送信するように当局が決定してよい。
【００６６】
更に、どの言語を第１とし、どの言語を第２とするかに関して、政治的に慎重を要する地位があるかもしれない。一の実施例では、ＩＳＯ６３９において指定された国際的に認識された順序に従う、予め割り当てたコードが実施されてよい。１４５のコードの使用は、大抵の言語（及び特別の場合のためのいくつかの予備）を含む。しかしながら、ネットワーク１１２は、他の目的のために未使用コードを用いてよい。いずれの場合も、１０００のコードが利用可能であるので、この損失は、良好な解決策の見返りに支払うには安い代償である。
【００６７】
国際的に合意されたコードが必要とされる場合がいくつかある。適切な一例は、海運チャンネルのそれである。多くのレジャー用小型船及び小型沿岸漁業船には、船舶無線機器が取り付けられていない。しかしながら、多くの場合、ボート乗員のうちの一人が携帯端末を所有している。もちろん、大抵の大型船はＧＳＭ装置を備えている。そのような場合、沿岸権威は、市民周波数帯(Citizen Band: CB)海運チャンネルで海上保安情報を中継することを決定してよい。そうであれば、沿岸海運業が、このチャンネルに切り換えることもあり得る。その場合、チャンネル番号は船が訪れる全ての港について同一であるべきであり、国際的合意コードを必要とする。他の例において、国連(UN)は、従事している全ての国際難民救済ワーカー及び任意の非政府組織(NGOs)に関係するセキュリティに配慮する責任を有している。ＵＮ警備担当(UNSECORD)が標準チャンネルを有するならば、その結果、この高機動性を有するが脆弱なグループは、地理的に特有な基準で連絡可能であろう。しかしながら国境を変更する度に電話のチャンネル番号を変更する必要はない。これら二つの例は、マルチボーダ(multi-border)配信エージェントを支援するＰＬＢＳシステム１００の利益を例示する。
【００６８】
ＰＬＢＳと一致するメッセージチャンネルコーディング案を別表１に提供する。
【００６９】
図２は、サービス機関１０２の構成要素及び動作の拡大図とともに、公共サービスメッセージ地域配信システム(Public Service Message Location Broadcast System)２００の他の模範的実施例を示している。図２において、サービス機関１０２の模範的実施例は、配信エージェントによる配信要求の生成及び寄託の構成要素及び動作、そのような要求の認証に関与するサービス機関による認証を受信する工程、及び認証されたメッセージを関係するネットワーク１１２Ａ及び１１２Ｂに配信する工程を示す。
【００７０】
この模範的実施例において、サービス機関１０２は、図１にウェブページ１０６として示したようなウェブポータル２０２を主催する。ウェブポータル２０２は、マンマシンインターフェースを、配信エージェントアクセス装置１０４（図示しない）を用いる配信エージェントに提供する。図示したように、ウェブポータル２０２は、配信のために入力された各メッセージの配信エージェント(BA)プロフィール(BA profile)２０４を、管理サブシステム(Admission Subsystem)２０３を介して、アカウントデータデータベース(account data database)２１６から受信する。これは、あらゆる様々なユーザ定義可能パラメータ(user definable parameter)及び制限を含んでよい。例えば、図示したように、メッセージプロフィール２０４は、ユーザパラメータのセット２０６、配信対象エリアフットプリントパラメータ(Tgt. Area Parameters)２０８、メッセージパラメータ(Message Parameters)２１０及び／又はステータスレジスタパラメータ(Status Registers)２１２を含んでよい。ユーザパラメータ２０６は、配信エージェント及び／又は配信エージェントアクセス装置１０４に関連する認証又は制限を含んでよい。フットプリントパラメータ２０８は、広範囲のメッセージ配信（配信対象エリア）のために、又は所定の配信対象エリアのために、配信エージェントが規定した地理的エリア又は地域のうち一以上を含んでよい。メッセージパラメータ２１０は、各提案されたメッセージに対する、若しくは公認メッセージ総数上の、制限又は規格、或いははそのメッセージ配信の時間制限を含んでよい。加えて、これは、配信エージェントによる選択のための一以上の所定メッセージのセットを含んでよい。ステータス２１２は、配信エージェント及び／又は先に提案された若しくは寄託されたメッセージの状態を識別又は規定できる。
【００７１】
配信エージェントパラメータが、エージェントに、配信エージェント生成(agent-created)の対象エリアの生成及び記憶を許可する場合、管理システム２０３は、配信エージェントが、ＧＩＳハンドラ(GIS Handler)２３４を用いて地理的情報システム(Geographic Information System: GIS)サーバ２３２へアクセスすることを容易にし、生成された対象エリアと、ＧＩＳキャッシュ(GIS Cache)２３６におけるその関連座標との格納を許可する。一の実施例において、ＧＩＳサーバ２３２は、ＭＡＰポイントサーバ(MAP Point server)である。
【００７２】
サービス機関１０２は、各配信エージェントによる、又は配信管理者若しくはオペレータによるロギングアクセス(logging access)用のログファイル(Log file)２１４も含んでよい。加えて、このログファイル２１４は、サービス機関１０２に関連する格納システム又はメモリに保管されるので、メッセージプロフィール２０４はログファイル２１４内に格納してよい。全ての配信メッセージは、ＰＬＢＳ−ＳＢ１０２によって、ログファイル２１４内にログ（記録）を取られる、そうすれば、配信エージェント又は管理オペレータによる改竄は不可能となる。どんなメッセージ紛争の場合でも、配信エージェント管理者、管理オペレータ及び／又は政府当局は、何が起こったかをはっきりさせるためにログを見る可能性がある。
【００７３】
ログファイル２１４は、オフライン統計及びアカウント管理に用いられてもよい。報告システム２２２は、必要であれば、ｅメールでコピーを配信エージェント及び／又は配信エージェント管理者に送信してよい。場合によっては、メッセージログと、請求を導出するための協定情報(agreed information)を用いるオフライン請求サブシステム(Billing Subsystem)２１７プログラムとから、請求が導出されてよい。
【００７４】
アカウントデータデータベース２１６は、一以上のアカウント、又はサービス機関１０２を利用する若しくはアクセスする配信エージェントに関連する格納情報をも提供してよい。加えて、ゲートキーパ管理(Gatekeeper Management)モジュール２１８は、ログファイル２１４及びアカウントデータデータベース２１６間を調整することによって、アクセス及びシステム使用の管理を提供してよい。
【００７５】
アドミッションコントロール２２０は、ウェブポータル２０２の、又はサービス機関１０２の他の機能及びシステムにアクセスする各配信エージェントの、セキュリティ及び管理を提供する。アドミッションコントロール２２０は、ウェブポータル２０２により受信されたメッセージプロフィール２０４を受信し、アカウントデータデータベース２１６からの入力を受信する。アドミッションコントロール２２０は、配信対象エリアのみならず供給されたメッセージを含むメッセージ要求を受信する。報告サブシステム(Report Subsystem)２２２は、管理及びオペレータ調査用のレポートを生成する。このようなレポートは、ログファイル２１４に格納され、及び／又はログ（記録）をとられてよい。
【００７６】
分配器(Distributor)２２４は、配信メッセージ要求を受信して、配信ネットワーク１１２、又は配信対象エリアを扱う配信システムを提供するネットワークを有するネットワークサービスプロバイダのいずれかを決定するために、配信エージェントの配信対象エリアをマッピングする。分配器２２４は、一旦、配信対象エリアに対する配信ネットワークを識別すると、セル配信センタ１１４(CBE-CBC)インターフェースに対する配信ネットワーク１１２が、それ自身のセル配信センタ１１４及び（セル仲介団体(Cell Broker Entity)をＣＢＥとして識別される）関連したサービス機関１０２を備えるかどうかを判定する。プレスウッドアルゴリズム(Presswood Algorithm)は、各送信ネットワークのインターフェース構成要素を決定するために用いられると共に、各ＣＢＣに対して適切な通信プロトコルを決定する。
【００７７】
図２に示すように、配信対象エリアの少なくとも一部を扱う配信可能なネットワークを備える各ネットワーク１１２は、そのセル配信センタ１１４において、配信メッセージ及びその関連パラメータを受信する。セル配信センタ１１４は、メッセージが配信されるべき配信対象エリアの座標も受信する。セル配信センタ１１４は、配信対象エリアに関連するそのネットワーク内でネットワーク要素を識別し、適切な送信のために、配信メッセージをこれらのネットワーク要素に送信する。図２において、ネットワークＡ(Network A)１１２Ａのセル配信センタ１１４Ａは、例えば塔又は塔上のアンテナ等の配信施設２３０Ａ１及び２３０Ａ２を利用した配信及び送信のために、一例として、ネットワークアドレスに対するメッセージを、配信切替センタ(broadcast switching center)（又はシステム）１１６Ａに送信する。同様に、第２ネットワーク１１２Ｂは、配信対象エリアの一部又は全部に対するサービスを提供してもよく、ネットワークＢ(Network B)の配信切替センタ１１６Ｂ１及び１１６Ｂ２によってアドレス指定された配信施設２３０Ｂ１及び２３０Ｂ２を備えてよい。配信切替センタ１１６は、地理に又は地域的に特有のユーザ配信装置又は配信施設２３０に対する、配信メッセージの配信及び／又は送信をサポートするように構成された任意のネットワーク要素であってよい。配信施設２３０は、アンテナ、衛星、ファイバーケーブル、無線システム、又は指定された配信対象エリア内で配信メッセージをエンドユーザに配信可能な他のネットワーク要素であってよい。
【００７８】
動作時において、配信エージェントは、配信対象エリアを規定するために、ウェブポータル２０２を用いる。サービス機関１０２は、配信エージェントによって入力され、且つアドミッションコントロールモジュール２２０によって許可又は認証されたメッセージプロフィール２０４を受信する。分配器２２４は、要求されたメッセージに関する配信対象エリアに、サービスを提供するネットワークを識別する。分配器２２４は、ＣＢＥ−ＣＢＣインターフェース２２６を利用して、座標規定配信対象エリア(coordinate-defined broadcast target area)と共に、配信メッセージを、適切なセル配信センタ１１４に送信する。セル配信センタ１１４は、規定された配信対象エリアにサービスを提供するネットワーク要素を決定し、そのネットワークアドレスを識別する。セル配信センタ１１４は、地域施設を利用するネットワーク１１２内において、配信メッセージを配信切替センタ１１６に送信する。
【００７９】
別の模範的実施例では、特定のネットワーク１１２用のネットワークサービスプロバイダは、ネットワークサービスプロバイダのネットワーク１１２内における配信メッセージの配信に、必要とされた配信メッセージネットワークルーティング(required broadcast message network routing)を提供するために、サービス機関１０２を指定していてもよい。図２に示すように、ネットワーク１１２Ｃは、セル配信センタ１１４よりもむしろリモートセレクタ(Remote Selectors)２２８を含む。この場合、サービス機関１０２は、リモートセレクタ２２８を介したネットワークルーティング用の、及びネットワークプロバイダ１１２Ｃによって扱われる配信対象エリア内のエンドユーザに最終的に配信される、配信メッセージの直接のネットワークアドレス指定(network addressing)のために、配信対象エリアをネットワークアドレス内にマッピングする。リモートセレクタ２２８は、ネットワークアドレス指定された配信メッセージを受信し、配信対象エリアを扱うネットワーク１１２Ｃにおいて、ネットワークアドレスを用いて、関連配信施設（図示せず）にメッセージを配信する。
【００８０】
配信エージェントは、この目的でネットワークを用いるために、地域通信事業者の許可を要求する。個々のアカウントの管理は、各配信エージェント管理者用のネットワークガイドラインを規定するために、管理オペレータに提供される。各配信エージェント管理者に対して、自身のトラフィック(traffic)を扱うことに合意した通信事業者は、個々に信号を送信される。各配信エージェント管理者は、通信事業者のプロトコル又はビジネス要件を一致させるために、各種ネットワーク２３０Ａ、２３０Ｂ及び２３０Ｃ（図示せず）間のインターフェースをカスタマイズする権限を有する。
【００８１】
メッセージは、配信送信用の通信事業者に対し、それらのネットワークを利用して送信される。大抵の場合、メッセージは、エリア範囲を提示するあらゆる公知のオペレータに送信される。これは携帯通信事業者、デジタルプライベート無線システムオペレータ、プライベート無線システムオペレータ、インターネットサービスプロバイダ、有線電気通信サービスプロバイダ、衛星サービスプロバイダ、ＣＡＴＶオペレータ等を含んでよい。
【００８２】
ＰＬＢＳ−ＳＢ１０２は、メッセージのコピー、及び必要とされた配信対象エリア／フットプリントに関する地理的情報のコピーを、通信事業者配信センタ(Carrier Broadcast Center: CBC)による、どのセルが含まれているかを決定する更なる処理のために、各オペレータのネットワークセンタ１１２Ａ、１１２Ｂ及び１１２Ｃに送信して、その後信号を正しい切替センタ又はゲートウェイプラットフォーム(Gateway platform)に送信する。メッセージによっては、例えば警察無線ネットワーク等の組織によって用いられるプライベートデジタル無線システムのみを対象としてよい。他の場合には、テキストを表示可能な(text-capable)２世代(2G)ネットワークに対する、例えば地図又は写真等のマルチメディアメッセージの送信が適用できなくてもよい。
【００８３】
通信事業者又は電気通信オペレータは、メッセージ源からの、或いは特定の件名の、文章の又は内容の、メッセージの受信を拒否してよい。各場合において、選択されたネットワークは、メッセージが送信される前に、ゲートキーパ管理サブシステム２１８又は管理団体によってチェックされてよい。
【００８４】
場合によっては、配信エージェントは、時間が経過する前に、メッセージの読み出しを決定してよい。この場合、配信エージェントは、メッセージライブラリからメッセージを選択し、読み出しボタンをクリック又は押すことが可能である。管理は、関係するネットワーク又は通信事業者に、読み出しコマンドを送信する。
【００８５】
緊急事態は非常に動的であり、その事態はメッセージ送信後及びメッセージ時間の期限前に、短期間に変化する可能性がある。その場合、ＰＬＢＳシステム１００は、配信エージェントに、メッセージを読み出す権限を提供する。ＰＬＢＳシステム１００は、ウインドウに表示するようなメッセージを読み出すための読み出しボタンも含む。各メッセージには、迅速に読み出すための日付番号が付されている。
【００８６】
配信エージェントは、配信が確かに配信ネットワークに送信されたことを確認したいと望むかもしれない。この確認は、報告サブシステム２２２又は他の管理レポータからの、ｅメールにより、又はブラウザ上のレポートボックスにより、行われてよい。加えて、報告サブシステム２２２は、他の接続システム又は監視センタ（図示せず）に、コピーを送信してよい。
【００８７】
実際の配信は、ゲートウェイ及びスイッチのための通信事業者のネットワークを介して、各加入している地域通信事業者によって管理されるので、ＰＬＢＳ−ＳＢ１０２は、加入している通信事業者セル配信センタ１１４に、メッセージ／対象配信情報が送信された後は、処理に対していかなる影響をも与えない。従って、返信された任意のメッセージ配信プログレス情報は、各加入している通信事業者に対する情報のハンドオフ(handoff)の瞬間までしか有効でない。
【００８８】
報告システム２２２は、ポップアップウインドウを、ＰＬＢＳシステム１００からログオフしていない配信エージェントに返信してよい。このレポートは、加入しているネットワーク１１２に、メッセージがハンドオフされたことを示すチェックマークを表してよい。しかしながら、それは、リアルタイムでメッセージが実際に送信されていることは示さない。報告システム２２２は、メッセージが送信されたことを知らせるｅメールを、任意に、配信エージェント管理者に送信してよい。異常が起きた場合に、又は例えば合意されたメッセージの略枯渇等の、他のトリガーイベントの場合に、これを報告するために、配信エージェント管理者のｅメールアドレスに、レポートが送信されてよい。
【００８９】
レポートは、簡潔なテキスト形式のメッセージとして自動的に生成されてよく、配信エージェント管理者及び／又は管理オペレータによって規定された電子アドレス(electronic address)又はｅメールアカウントに、送信されてよい。
【００９０】
ＰＬＢＳサービス機関１０２によって直接的又は間接的に主催されるウェブポータル２０２は、以下に説明するように、配信エージェントの地域におけるウェブブラウザ(Web Browser)１０６と通信する。ウェブポータル２０２の目的は、配信要求(Broadcast Request)、即ち、以下の情報を保持するファイルの生成である。
ａ．配信対象エリア／フットプリント
ｂ．配信メッセージ及び関連パラメータ
ｃ．ユーザパラメータ（例えば、配信エージェントユーザＩＤ及びパスワード）
ｄ．配信要求のステータス（状態）（提案時刻、認証時刻、ハンドオフ時刻）及びステータスレポート
【００９１】
アドミッションコントロールサブシステム(Admission control Subsystem)２２０は、加入しているネットワーク１１２Ａ、１１２Ｂ及び１１２Ｃへの送信の前に、現時点における、特定の配信エージェントにより提案された配信要求が本物であることを保証する。
【００９２】
配信エージェント及びセッションに対して、ウェブポータル２０２は、管轄区域権の地図、配信対象エリア／フットプリント、メッセージ及び適用される配信ライブラリからなる配信エージェントの環境を提供する。ウェブポータル２０２は、この情報をアカウントデータデータベース２１６から取得する。多言語機能(Multi-Language feature)が要求された場合、メッセージウインドウに適切なウインドウが提供される。
【００９３】
配信エージェントウェブポータル２０２は、名前、現在のシステム日付及び生成メッセージボタン(Create Message button)が押されたときからの時刻と共に、配信要求記録を生成する。
【００９４】
配信エージェントがＧＯボタンをクリックすると、アドミッションコントロールサブシステム２２０は、アカウントデータデータベース２１６から配信エージェントプロフィールを読み出す。それは、メッセージが許可されるか拒否されるかを判定するために、配信エージェント及びメッセージの全てのパラメータを確認する。
【００９５】
メッセージが拒否される場合、配信記録は、そのステータスレジスタ２１２によって、そのようなものとしてマークされ、報告する工程に送信される。そして、アカウントデータデータベース２１６におけるパラメータ毎に、レポートが生成され、ｅメールで送信される。そして、配信記録は、そのレポートと共に配信ログファイル２１４に格納される。配信エージェントは、新たな番号を有する新たな配信を生成する。
【００９６】
配信エージェントＩＤ及びパスワード詳細(password details)は、配信エージェントの認証のために、プロフィールと照合される。認証されない場合、メッセージは拒否される。次にアドミッションコントロール２２０は、配信対象エリア／フットプリントをプロフィールと照合するであろう。管轄区域権内でない場合は、メッセージは拒否されるであろう。アドミッションコントロール２２０は、次に配信対象エリア／フットプリントに起因するエリアを人口密度で乗算することにより、このメッセージのポップ図を算出する。人口密度図データは、アカウントデータデータベース２１６から読み出される。次に、［全メッセージ］、［ポップ密度(Pop density)］及び［全mess*pop］図がアカウントデータデータベース２１６から読み出され、アカウントデータデータベース２１６には書き込まれないが、新たな図が配信記録に加えられる。総合結果は、アカウントデータデータベース２１６において設定された制限と照合される。制限を越える場合、配信が送信されてよいか否かを調べるために、アドミッション規則と照合される。そうでなければ、メッセージは拒否される。或いは、アドミッション規則に従ってレポートが生成されてもよい。
【００９７】
多言語メッセージング照合は、政府当局の要請を受けて、配信エージェントが各言語に対するメッセージを規定したかどうかを調査するために実行されてよい。規定していない場合、配信は、アドミッションコントロール規則に従って拒否されてもよいし、拒否されなくてもよい。
【００９８】
要求されたネットワークは、アカウントデータデータベース２１６と照合される。ウェブポータル２０２は、アカウントデータデータベース２１６が規定した加入しているネットワーク１１２を有してよいが、場合によっては、あるネットワークは、他のネットワークが受け入れをしない一方で、あるチャンネルを受け入れてよい。その場合、配信は、許可されたネットワークで継続してよく、他のネットワークでは拒否されてよい。或いは、全体で拒否されてよい。
【００９９】
アドミッションコントロール２２０が、配信要求が有効であることを確信すると、配信要求は分配器２２４に送信される。
【０１００】
アドミッションコントロール２２０は、任意の配信リクエストが予め設定されたガイドラインに基づく認定を満足することを保証する。何が受理可能であり何がそうでないかに関するパラメータは、アカウントデータデータベース２１６における管理オペレータによって設定される。配信を生成することを許可されている全ての人である、各登録配信エージェントは、管理データベース(Administration Data Base)に格納された独立したプロフィールを有している。管理オペレータのみが、このファイルを利用可能であり、配信エージェントを生成、編集及び削除可能である。全ての配信エージェントは、配信エージェント管理者に属し、それらの配信エージェント管理者を超える権限を有しなくてもよい。
【０１０１】
管理データベース(Administration Data Base)で用いられるパラメータは、ＰＬＢＳ−ＳＢ１０２システム記述文書で再調査される。ユーザＩＤ、配信エージェントが報告する配信エージェント管理者及び現在のパスワードに関する他のパラメータ、並びに、同様に含まれるであろう各配信エージェントに対する認証キーが存在する。
【０１０２】
管理サブシステムは、配信要求と称されるオブジェクトを生成する責任がある。このファイルは、各提案に関して知られている全てを詳述する。また、各配信要求の進行を追跡するために、システムによって用いられるフラグのチェックリストも含んでいる。配信要求は、提案を受理したＰＬＢＳ−ＳＢ１０２と、有効な提案としていつ受理されたかを確認する日付時間グループとからなる固有ＩＤによって判断される。
【０１０３】
配信エージェントが「提案(propose)」又は「ＧＯ」ボタンをクリックすると、ゲートキーパ管理サブシステムは、十分な要求情報と共に生成され、正しくフォーマットされた配信要求を確認するであろう。提案が正しくフォーマットされると、保留中の提案が保存されているエリアにおいて、ログファイル２１４データベースに記録される。次に、管理サブシステムは、アドミッションコントロール２２０システムに実行するように命令する。
【０１０４】
アドミッションコントロール２２０が、配信要求の送信を、一旦認証及び承認すると、メッセージ及び配信対象エリア情報は、メッセージ配信のための加入しているネットワーク１１２に対する送信のために、分配器２２４に寄託される。通信事業者が、その施設、ネットワークアドレス又は地域サービスエリアデータをＰＬＢＳ−ＳＢ１０２に提供した場合、分配器２２４は、配信エージェントによって入力された対象エリア地図パラメータを、ネットワークアドレスに変換し、メッセージパラメータ及び関連ネットワークアドレスを通信事業者の通信事業者配信センタ１１４を介して通信事業者に送信する。
【０１０５】
ネットワーク施設アドレスを含むネットワークの詳細をＰＬＢＳ−ＳＢ１０２に提供しないこと選択した通信事業者について、分配器２２４は、メッセージ及びターゲット配信エリアのターゲット配信エリア座標を、通信事業者に送信する。通信事業者は、ターゲット配信エリアのセルサイト識別子(cell site identifiers)等のネットワーク又は地域アドレスへの必要とされた変換を実行する。
【０１０６】
分配器２２４によって管理されるネットワーク施設セレクタ機能は、例えば、所定メッセージ対象配信エリア及びそれらの関連ネットワーク施設識別子が各通信事業者によって迅速に処理されるような、所定のネットワーク施設サービスプールを介してサポートされてよい。
【０１０７】
定期的に別個のハートビートチャンネルの「ハートビートメッセージ(heartbeat message)」を送信する働きをするフィードバック受信器と共に、ＰＳＭＢＳシステム２００を示す。この「ハートビート」は、送信エージェント識別(sending agent identity)、及び日付時間又は日付起点を示す短いテキストメッセージから成る。このハートビートメッセージを用いると、市民は、自分たちの端末受信器の設定を検証及びテストすることができ、システムが動作していることを確認できる。
【０１０８】
フィードバック受信器は、通常、既定のサービスエリアに配置され、配信されていないハートビートメッセージ及びＰＳＭＢＳを受信し、且つそれらをＰＳＭＢＳ仲介システムのフィードバック報告システムへ送信するようにプログラム化されている。フィードバック報告システムは、レポートのコピーを作成し、それらをエージェント、管理者、及びイベント管理システムに送信する。従って、エージェントは自分達がもたらしたメッセージがいつ配信されるかを確認できる。イベントモニタは、定期的に予定を組まれたフィードバック「ハートビートメッセージ」がいつ生じる予定になっているか認識している。フィードバックメッセージが生じない場合は、レポートが生成され、管轄区域権のエリアに特有のエージェント及び管理者、並びに／又は（複数の）管理センタに送信される。
【０１０９】
図３を参照すると、例示されたアドミッションコントロール方法３００（Haslemereアルゴリズムとも称される）は、特に断りがない限り、横から出ていくｙｅｓ回答矢印と、下から出ていくｎｏ回答矢印と、が適用された表現法を用いる。
【０１１０】
方法３００は、「次の配信エージェントメッセージリクエスト(Broadcast Agent Message Request: BR)」工程３０２において開始する。ＢＲメッセージはメッセージキュー(message queue)３４６に保持され、サイトの配信エージェントから又はリモート配信エージェントシステムから受信されてよい。キューに保持されたメッセージは、寄託された配信メッセージリクエスト内に含まれる所定のメッセージ優先コードによって順序付けられる。
【０１１１】
次に、「ユーザプロフィールの取り出し又はエージェントプロフィールの取り出し(Fetch Agent Profile)」工程３０４では、ユーザＩＤ／エージェントＩＤが読み込まれ、配信エージェントプロフィールがアカウントデータデータベース２１６等の管理データベースから取り出される。
【０１１２】
次の工程は、「セキュリティフェイル(Security Fail)？」工程３０６であり、ユーザＩＤが、データベースに入力されたパスワード及び認証キーと照合される（管理制御システムは、セキュアトンネル(secure tunneling)又は仮想プライベートネットワーク、若しくはＶＰＮアクセスの場合に、発信端末のデータリンク及びネットワークアドレスを有効化した）。
【０１１３】
「セキュリティ報告(Security Report)」工程３０８は、工程３０６においてセキュリティ確認がフェイルした場合に、そのフェイルの理由を説明するショートメッセージが生成される。ショートメッセージは、この配信メッセージリクエストの報告フィールドに付加される。セキュリティ違反又は警報の場合は、例えば試みられた行動に関する詳細等の更なるデータが含まれてよい。
【０１１４】
「全拒否フラグ設定(All Decline Flags Set)」工程３１０において、この配信エージェントメッセージの送信を回避するために、拒否フラグが、送信を制限するために全ネットワークフィールドの配信要求に対して設定される。
【０１１５】
「次のネットワーク(Next Network)」工程３１２では、セキュリティに何の問題もない場合に、どれが試みるべき第１のネットワークであるかを知るために配信メッセージリクエストが検査される。このネットワークのアドミッションパラメータは、ここで管理データベース又はアカウントデータデータベース２１６からクエリーされ、検査されるであろう。これが全ネットワークに対して実行されると、配信メッセージリクエストのコピーが分配器２２４に送信され、これが配信メッセージリクエストをネットワーク１１２のネットワーク管理センタにおける通信事業者配信センタ１１４への送信用信号に変換する。セルアラートプロトコル(Cell Alert Protocol: CAP)等の標準プロトコル、又は配信メッセージ寄託プロトコル(Broadcast Message Submission Protocol: BMSP)等のアプリケーション特定プロトコルである通信プロトコルが用いられる。
【０１１６】
「全ネット終了(All Nets Done)？」工程３１４において、ファイルマーカの終端が確認及び読み込まれ、要求されたネットワークが全て分析されたかどうかを判定する。ネットワークの全てに信号が送られると、「アドミッション実行フラグ設定(Set Admiss_Done Flag)」工程３１６は完了フラグを設定する。或いは、管理工程の完了を示すタイムスタンプと共に、配信メッセージリクエスト記録に通知が設定される。コピーは配信エージェントアクセス装置１０４に送信される。また、「報告へコピー」工程３１８又は「報告フラグ設定(Ste Reporting Flag)」では、全配信及び配信メッセージリクエストのコピーは、配信エージェント管理者及び通信事業者配信センタ又はそれらの報告サブシステムへ送信するために報告サブシステムに送信される配信メッセージリクエスト報告フィールドに書き込み又は記憶される。また、「ログファイルへコピー」工程（図示せず）では、配信メッセージリクエストはログファイル２１４に記憶し、保留中エリアから削除することが可能である。このとき、全ネットワークに対象とするメッセージとともに信号が送られると、地域メッセージ配信方法３００は完了する。
【０１１７】
全ネットワークに信号が送られていない場合、この工程は「次の配信エージェントパラメータ(Next Agent Parameter)」工程３２２（次のエージェントパラメータと標示）まで続く。ここでは、次の配信エージェントパラメータを管理データベースから回収し、要求する配信エージェントと比較する。「全パラメータ終了(All Parameters Done)？」工程３２４は、パラメータが全て評価され、ファイル処理が完了に近いことを確実にする。パラメータの全てが工程３２４において実行されていない場合（例えば、ＮＯとなる）、「フェイル(Fail)？」工程３２６は、配信リクエストのパラメータが、ＰＬＢＳ１００によって規定された及び／又は配信エージェント管理者の配信メッセージ用の所定の基準を満たさないかどうかを判定する。「フェイル？」工程３２６が否定の場合、方法３００は「報告通過(Pass Report)」工程３２８まで続く。「報告通過」工程３２８において、パラメータが所定基準内にある場合は、報告システムは配信メッセージリクエスト報告に、どのパラメータが通過したかを示すショートメッセージを付加する。これは、トラブルシューティングと議論の解決を提供する。この後、方法３００は工程３２０において「次の配信エージェントパラメータ」工程３２２に戻る。
【０１１８】
しかしながら、「フェイル？」工程３２６がｙｅｓの場合、この方法は「拒否(Decline)？」工程３３０に進む。「拒否？」工程３３０は、テスト下のパラメータが所定基準内に入らない場合にパラメータは機能せず、特別な受け渡し手続きが適用される。このような手続きは、所定基準内のパラメータに照らして配信メッセージリクエストが継続するように、システムの無効又はオペレータの無効にできるかもしれない。このような手続きは、拒否パラメータの確認を含んでよい。「拒否？」工程３３０がＮＯである場合は、「警告報告(Warning Report)」３３２（拒否パラメータが満足されない場合）は、警告メッセージを生成し、それを配信メッセージリクエストに付加する。次に、「警告フラグ(Warning Flag)」工程３３４は、警告フラグを特定のネットワークに対して設定する。そして、方法３００は、「次の配信エージェントパラメータ」工程３２２に戻る。しかしながら、「拒否？」工程３３０がｙｅｓの場合（例えば、拒否パラメータが、配信メッセージリクエストが拒否されたことを示す場合）、「拒否報告(Decline Report)」工程３２６は拒否報告を生成し、配信リクエストに付加する。「拒否フラグ(Decline Flag)」工程３３８は、拒否パラメータの表示時に、拒否フラグをそのネットワークに対して設定する。拒否フラグは、一又は複数のネットワークにネットワーク設備又はネットワーク送信配列／合意として適用されてよい。「拒否フラグ」工程３３８の後、方法３００は、更なる処理のために、「次の配信エージェントパラメータ」工程３２２に戻る。
【０１１９】
再び「全パラメータ終了？」工程３２４を参照すると、「全パラメータ終了？」工程３２４がｙｅｓであり、パラメータの全てが処理されたことを示す場合、「このネットワークでフラグ拒否(Decline Flag This Net)？」工程３４０が開始される。「このネットワーク拒否？」工程３４０では、パラメータの全てが評価されると、全パラメータ実行メッセージが戻される。加入している通信事業者及び通信事業者のネットワーク１１２又は通信事業者配信センタ（ＣＢＣ）１１４に送信するために、配信メッセージリクエストを分配器２２４に送信する前に、配信メッセージリクエスト又はメッセージが団体又はシステムによって拒否されたかどうかが判定される。「このネットワークでフラグ拒否？」工程３４０がｙｅｓの場合、この工程は、各ネットワークがネットワーク特有の基準及びパラメータを備えるので次のネットワークを評価するように「次のネットワーク」工程３１２に戻る。
【０１２０】
しかしながら、配信メッセージが特定のネットワークに対して拒否されなかった場合は、メッセージは、「配信リクエストを分配器２２４にコピー(Copy BM to Distributor)」工程３４２に伝えられる。工程３４２では、配信リクエストの全て又は関連部分のコピーが配信分配器２２４に送信されるか、又はキューに配置される。配信分配器２２４は、通信事業者又は通信事業者配信センタ(CBC)１１４へ通信するための送信施設又はリンクに関連する、一又は複数の所定パラメータ、フォーマット又はプロトコルに従ってデータを再度フォーマット化してよい。次に、「寄託報告(Submission Report)」工程３４４は、レポートに付加すべき且つＰＬＢＳシステム１００及び／又は配信エージェントアクセス装置１０４によって記憶される寄託日付及びタイムスタンプを提供する。この工程は、各ネットワークがネットワーク特有の基準及びパラメータを備えるので次のネットワークを評価するように「次のネットワーク」工程３１２に戻る。
【０１２１】
配信エージェントは、配信エージェントが発信したのではない、アカウントの活動報告システム(Report System of activity)からの報告を受信しているので、自分のアカウントプロフィールのセキュリティが、例えばインターネットハッカーによって破られたと感じるかもしれない。このような場合、配信エージェントは、セキュリティ問題が解決するまで、自分のアカウントを更なるメッセージ提案から一時的に停止させてよい。配信エージェントは、メッセージテキストも対象エリアもない（例えば、ヌルメッセージ配信提案）「停止(suspend)」配信メッセージ提案を作成して自分のアカウントプロフィールを「停止させる(suspending)」（不能にする）ことで、これを達成する。配信仲介がこのメッセージリクエストを受信すると、配信エージェントの信頼性を解析し、もし有効であれば、アカウントデータにおいて「停止(suspend)」フラグを用いて送エージェントアカウントをマークする。次に報告システム管理者／ゲートキーパは、配信エージェント、配信エージェントの管理者及びＣＥＡＳＡ報告センタに、アカウントが衝撃を受けた（stunned）ことを報告する。配信エージェントアカウントは、管理者／ゲートキーパ(Gatekeeper Management)２１８からの介入によってのみ「実行(unsuspended)」できる。
【０１２２】
配信エージェントの停止の後、配信エージェントアカウントを用いてメッセージを開始する更なる試みがある場合、Ｈａｓｌｅｍｅｒｅアドミッションコントロールアルゴリズム(Admission Control Algorithm)３００は、全ネットワークで拒否されたとマークするであろう。アドミッションコントロールは、その提案を処理し続けるので、完全な提案レポートを生成できる。また拒否フラグの全てが設定されるので、メッセージは仲介によって送信されないだろうし、分配器２２４はそれを無視する。レポートはログを取られるが、報告センタに送信されない。その代わり、報告サブシステムは、配信レポートのコピーを報告リスト上の適当な個人に送信する。
【０１２３】
セキュリティ問題が解決されない場合、配信エージェントアカウントは、管理者によって「キル（kill）」としてマークしてよい。そのような場合、関連する管理データ全てがデータベースにおける動作中のサイドから削除され、ログファイル２１４にアーカイブ保管される。
【０１２４】
実際に、配信エージェントアクセス装置１０４等の配信エージェントアクセス装置を用いる配信エージェントは、配信対象エリアを、配信メッセージを送信すべき地図上で形状を描画する又はエリアを示すことで規定する。配信対象エリアは、二以上の通信事業者又は電気通信サービスプロバイダによって供給される可能性が高いので、ＰＬＢＳシステム１００は、どの通信事業者が配信対象エリアの全部又は一部を供給するのかを判定する。ＰＬＢＳシステム１００は、統合システム又はモジュール、或いはセパレートスタンドアロンシステム又はモジュールである配信分配器２２４によってこの機能を実行してよい。これはハードウェア又はソフトウェアにおいて実施されてよい。配信分配器２２４は、配信メッセージを、配信リクエストに規定されるような配信対象エリアの全部又は一部にサービスを提供する通信事業者の通信事業者配信センタ(CBC)１１４に送る。これは、テーブル、チャート又は地図を含む任意の考えられる配置で実施されてよい。
【０１２５】
オペレータは、例えば、ＧＭＧ１．５、ＣｅｌｌＴｅｃｈ、又はＬｏｇｉｃａ１０１０等、通信事業者配信センタ(CBC)１１４に対する異なる業者を次々に有してよく、従って各種類に対して異なるモードのシグナル伝達が実行されてよい。一の知られた業界標準プロトコルは、配信メッセージサブミッションプロトコル(Broadcast Message Submission Protocol: BMSP)である。別の標準は、セルアラート配信(CAP)プロトコルである。管理データは、適切な通信事業者配信センタ(CBC)１１４インターフェース装置に対するアドレス情報又はルーティングを含むので、適切なシグナル伝達プロトコル変換が生じる。
【０１２６】
ＣＢＣ１１４へのシグナル伝達は、ＷＧＳ８４座標におけるエリアポリゴン、メッセージ、および関連スケジューリング情報を規定する業界標準ＢＭＳＰ又はＣＡＰプロトコルを用いてよい。ＣＢＣ１１４は、有効性に対する提案配信メッセージの確認を行い、地図ポリゴンによって規定される可能性のある規定配信対象エリアをセル識別（セルＩＤ）リストに変換する。一の実施例において、ＣＢＣ１１４は、ＧＳＭ０３．４９プロトコル／リスト等の標準通信プロトコルによって、セルＩＤリストを配信切替センタ(BSC)１１６に送信する。ＰＬＢＳ−ＳＢ１０２とＣＢＣ１１４との間の送信では、ＴＣＰ／ＩＰセキュアトンネル（secure tunneling）プロトコル、又はローカル通信事業者によって指定されるＸ．２５を含む可能性のある市販のシステム及び設備を用いてよい。
【０１２７】
ＰＬＢＳ位置セレクタがこの通信事業者又はローカル通信事業者の位置に設けられると、配信リクエストファイルは、ＣＢＣ１１４又は基地局制御器(Base Station Controller: BSC)１１６に送信する前にセルＩＤリストへのローカル処理を行う位置セレクタにＦＴＰ／ＴＣＰ／ＩＰによって送信されてよい。
【０１２８】
管理オペレータは、ＰＬＢＳシステム１００を用いて、各配信エージェント管理者に対して、制限、認可、管理及び動作パラメータ及びプロフィールを指定する。これらは、政府規制、交渉による合意、基準又は政策及び慣習に基づいてよい。これは各種の配信エージェント管理者及び／又は配信エージェントに対する認可の予定を構築することを含んでよい。
【０１２９】
管理オペレータは、システム内に、配信エージェント管理者及びそれらの配信エージェントが権限レベルを規定したようにアカウントパラメータを設定する管理データベースも構築する。管理オペレータは、請求及び管理目的のため、各配信エージェント及び配信エージェント管理者用のアカウントを構築及び維持するシステムも用いる。
【０１３０】
このシステムは、管理オペレータがログファイル２１４及び配信リクエストを再調査する決心を可能ならしめるように構成される。このシステムにより、管理オペレータはログファイル２１４を読むことができ、管理データベースを読み、これに書き込むことができる。管理オペレータ管理サブシステムは、管理オペレータに、ユーザ／配信エージェントアカウントデータ及びシステムを管理するためにウェブ制御パネル又はＧＵＩ環境を提供するように構成される。このシステムは、ネットワーク管理（administration）、経営管理（management）、報告及び請求に対する統計を作成するように構成される。
【０１３１】
位置配信レポータ１１０は、配信メッセージンデータを記憶し、一又は複数のエリアにおける過去、保留中、及び未来の配信メッセージに関連するレポートを準備及び作成するように構成されてよい。位置配信レポータ１１０は、災害管理事務所、制御室、又はＰＬＢＳ−ＳＢ１０２に設置されてよい。しかしながら、拒否報告工程３３６において、拒否パラメータが、配信リクエストの拒否を示すと分かる場合は、このようなレポート及びデータへのアクセスは、ＰＬＢＳオペレータ若しくは管理又は政府機関の関係者にのみ可能とされる。このようなレポートは、直ちに行動がとられるように、或いは更なる又は関連する行動が開始されるように、ウェブベースのインターフェースを介してリアルタイムで作成されてよい。
【０１３２】
アドミッションコントロールサブシステム２２０が、提案配信メッセージリクエストを受理しない場合、ステータスメッセージは配信エージェントアクセス装置に送信されてよく、報告要求フラグが設定されてよい。プロフィールは、適当な手続きを決定するためにアカウントデータから取得される。
【０１３３】
加えて、配信エージェントに状況を報告するために、通知又はダイアログボックスが配信エージェントアクセス装置において公開されてよい。配信エージェントが配信エージェントアクセス装置からログオフした場合、ｅメールレポート等の通知が、所定アドレス及び配置に従って、配信エージェント管理者及び配信エージェントに送信される。行動を記録するために、レポートのコピーも配信リクエストに付加される。
【０１３４】
報告は、管理オペレータ及び配信エージェント管理者に対するアカウント上での任意の行動の報告を行う。これは、アカウントの期限が切れる任意の警告を報告することを含む。報告では、アカウントデータにおいて規定されるパラメータに応じて、定期的に配信エージェント管理者にアカウント情報も送信する。レポートは、配信管理オペレータによってアクセスされるログファイルに記憶される。
【０１３５】
配信エージェントポータル２０２又はウェブページ１０６にアクセスする配信エージェントアクセス装置又は端末１０４は、警察制御室等の災害管理事務所に設置されてよい。公認配信エージェントは、ウェブアクセス、公共サービスメッセージ地域配信システムダイレクト、又は公共サービス地域配信制御器(Public Service Location Broadcast Controller: PLBC)によって、ウェブ又はインターネットブラウザを用いてメッセージを作成及び提案する。
【０１３６】
配信エージェントは、ウェブページ１０６上で（ウェブポータル２０２を介して）ＰＬＢＳ−ＳＢ１０２とやり取りをし、特別クライアントソフトウェアのローディングは通常不必要である。ほぼ任意のコンピュータが、ＰＬＢＳ−ＳＢ１０２を変更なしで使用できる。
【０１３７】
配信エージェントは、インターネット及び／又はワールドワイドウェブを含む通信ネットワークを介して公共サービス地域配信システム(PLBS)１００にアクセスする。配信エージェント装置は任意の通信装置であってよく、好ましくはインターネットにアクセス及び／又はウェブページを主催するように構成された装置である。これは、パーソナルコンピュータ、ラップトップコンピュータ、携帯電話、及び個人管理装置、並びにそれらの変形物を含む。
【０１３８】
配信エージェント装置は、公共サービスメッセージ地域配信システムによって直接又は間接的に主催されたウェブページ１０６又はポータル２０２にアクセスできる。任意の現在又は未来のウェブ、インターネット、又は類似の未来のサービスブラウザ又はアクセス方法は、配信エージェントによって用いられてよい。一の実施例におけるＨＴＭＬ（Hyper Text Mark-up）言語等の標準語は、既存又は未来のハードウェア及び／又はソフトウェアプラットフォームを用いて利用されてよい。各種の通信施設及び相互接続を提供するために、標準の、私有の、及び／又は市販の通信システム及びプロトコルを用いてよい。
【０１３９】
更なるセキュリティが望まれると、プライベートネットワーキング設備、仮想プライベートネットワーク(VPN)設備、及び／又はセキュアトンネル設備とともに、公開鍵暗号を用いたセキュアソケットレイヤー(SSL)等の市販又は私有の効果的セキュリティプロトコル及び対策が採用されてよい。
【０１４０】
配信エージェントウェブポータル２０２は、家、リモートオフィスに配置されたもの、又は携帯用コンピュータ、装置又はプラットフォームを含む、任意の場所に配置された任意のワークステーションを介して公共サービスメッセージ地域配信システム(PLBS)１００にアクセスする柔軟性を、ありとあらゆる配信エージェントに備えるために、ＬＡＮ又はインターネットを通じて利用可能とされる。このシステムは、８０２．１１技術及びモバイルインターネットシステム及びネットワーク等の無線ＬＡＮを用いてよい。
【０１４１】
配信エージェントウェブポータル２０２は、ウェブページ１０６として提示される。配信エージェントウェブページ１０６は、制御室又はパネルの外観を有する設計形態又はパターンで表示されてよい。加えて、配信エージェントウェブページ１０６は、地理的情報システム(GIS)サービスポータル又はウェブページを含んでよい。
【０１４２】
配信エージェントウェブポータル２０２又はウェブページ１０６は、簡単迅速な地図表示のためにスクロールバーと拡大表示オプションとを備えた一又は複数の地図を含んで、又はから構成されてよい。一又は複数のツールバーは、地図フォーマットで配信対象エリアを選択及び規定する能力を配信エージェントに提供する。現在のウェブブラウザが地理的情報システム(GIS)データを処理しないが、この地図は、ブラウザを支援するＰＬＢＳ−ＳＢによって位置変換が実行されたＪＰＥＧ（Joint Photographic Expert Group）フォーマット画像又はファイルであってよい。しかしながら、将来的に配信エージェントウェブポータル２０２又はウェブページ１０６が直接ＧＩＳ地図データを支援してこのような情報を表示し、定義入力を行うことが期待される。
【０１４３】
図４を参照すると、グラフィカルユーザインターフェース(GUI)４００、又は類似のユーザインターフェースは、ウェブポータル２０２、ウェブページ１０６、ローカルソフトウェア、又は最新配信コマンダ１０８を含む類似の機構によって提供することができる。ユーザは、アクセスが許可される前に、先ず自分のユーザＩＤ及びパスワードを入力したであろう。ＰＬＢＳシステム１００は、ユーザＩＤの機能及び公認管轄権として、配信エージェントに地図を表示できる。配信エージェントウェブページ１０６のホームページ４０２は、デモンストレーションゾーンの地図４０４と、特定の地理的エリア及び／又は特定の配信エージェントに関連する都市又は位置とを示してよい。配信エージェントに対するＧＵＩインターフェース４００は、ウェブポータル２０２及び最新配信制御器１０８のいずれか一方によって提供することができる。別の実施例においては、ホームページ１０６は、全てのユーザが利用できる一般データを表示してよい。
【０１４４】
配信エージェントがＰＬＢＳシステム１００にログインすると、その配信エージェントの管轄区域権の地図４０４が表示される。地図４０４は、無関係又は無許可のエリアへ誤ってメッセージを送信することを防ぐために、管理オペレータ及び／又は配信エージェント管理者によって構築される。図示の如く、表示された地図４０４は、配信エージェントがターゲット配信エリアを特定又は規定できる地理的エリアを含む。この地図は、一例として、街路、地方自治体の境界、及び／又は関心のある点を含むことができる。
【０１４５】
配信エージェントウェブポータル２０２又はウェブページ１０６は、ウェブポータル２０２にアクセスする配信エージェントから６回の「入力(Enters)」又は「クリック」以内で配信エージェント配信リクエスト又はメッセージの送信又は要求を可能にするように設計される。同様にこのシステムは、このような行動がタイムリーであり、１５秒以内に遂行されるように設計される。
【０１４６】
図５の表示されたユーザインターフェース５００を参照すると、配信エージェントウェブページ１０６を用いている配信エージェントは、マウス又はタッチパッド等のポインティング装置を用いて、メッセージが配信されるエリア、例えば配信対象エリア５０２又はフットプリントを規定する。好ましくは、配信対象エリア５０２は、表示された地図４０４上でマウスをクリックする等の地理的な選択手段を介して配信エージェントによって規定される。例えば、インターフェース５００を表示した際に、ユーザは、移動ボタンを用いて地図４０４をスクロールし、またスケールを選択してよい。次にユーザは描画ツールを用いてマウスをポイント及びクリックし、ターゲット配信エリア５０２等の「フットプリント」として知られるエリアを作成することができる。この例では、マッピングフットプリントはサークル５０４として選択され、配信エージェントによって選択された青色５０６によって視覚的に示される。
【０１４７】
加えて、図６の表示ユーザインターフェース６００に示すように、配信エージェントは、ＧＵＩインターフェースを用いることができ、また形状ツールを用いて不揃いな形のターゲット配信エリアを規定できる。この例では、形状ツール６０２は青色５０６で選択され、配信エージェントは、地図４０４上で、交通警報の焦点であってよいハイウェイ６０６の一区画を囲む形が不規則なポリゴン６０４を規定している。このような形が不規則なターゲット配信エリア６０８を規定でき、且つ後の呼び戻しのためにフットプリントライブラリに記憶することができる。
【０１４８】
図７は、ターゲット配信エリア７０６が地図７０８上で選択される所定フットプリント７０４のライブラリ７０２からのターゲット配信エリアの選択を例示する表示ユーザインターフェース７００の一の実施例を示す。一のこのようなアプリケーションは、洪水又は類似の緊急事態の場合にエリア内の受信者に警告メッセージを配信するために選択されうる各種の洪水帯エリア７０４を有するライブラリ７０２を含んでよい。
【０１４９】
図８の表示画像８００に示すように、配信エージェントが配信対象エリアを規定した後に、配信エージェントは、メニューバー８０２上のメッセージメニューボタンを起動し、テキストメッセージをキーボードにタイプする等により、メッセージ８０１を入力する。メッセージ入力表示スクリーン又はウインドウ８０４は、メッセージタイプ８０６の識別、配信メッセージ８０８の持続、およびメッセージ名８１０の入力を可能にさせる。実施例によっては、ターゲット配信エリアが一旦規定されると、ダイアログボックスは、配信エージェントが利用できるオプションの展示を公開する。これらは通常管理者、オペレータ、及び／又は契約により規定される。次に配信エージェントはメッセージ８０１のテキスト、そのチャンネル番号（又はこれは固定してもよい）、及び配信メッセージ８０８の持続を入力できる。
【０１５０】
図９の表示画像９００に示すように、実施例によっては、あるアプリケーションにおいて、標準ライブラリメッセージ９０２が、所定メッセージのリストから選択でき、所定メッセージ９０４と、場合により所定のターゲット配信エリア９０６を含むことができる。これらは夫々、より下位権限の配信エージェントによって、メッセージ配信リクエストの寄託を早めるために呼び戻されてよい。表示画像９００に示すように、シェフォード（Shefford）化学物質流出９１０が地図９１２上で確認される。
【０１５１】
配信エージェントが配信すべきメッセージ及びターゲット配信エリアを規定又は選択した後、配信エージェントは、一又は複数の認証手続きを介して配信リクエストを認証する。これらは、ユーザＩＤ及びパスワードの入力、音声認証メッセージの発話、又は別の方法を含んでよい。図１０は、表示画像１０００と、配信エージェントにその配信エージェントのユーザ識別１００４及び認証パスワード１００６を入力及び確認可能とさせる認証ウインドウ１００２とを示す。配信リクエストが認証された後、配信エージェントは、開始又はｇｏボタン１００８を押すことにより配信リクエストを開始する。配信リクエストは、配信提案となり、アドミッションコントロール２２０により考えるべき公共サービス位置配信システムサービス局（ＰＬＢＳ−ＳＢ）１０２に転送される。
【０１５２】
選択自由なシステムの特徴も、配信エージェントウェブポータル２０２又はウェブページ１０６を介して配信エージェントに利用可能とされてよい。これらは、アドバンストボタン又はツールバー上の更なるオプションとして実施されてよい。これらの選択自由な特徴は以下を含んでよい。即ち、
−配信対象エリア／フットプリントライブラリ(Broadcast Target Area/Footprint library)
−メッセージライブラリ(Message library)
−多言語メッセージ(Multiple language messages)
−ロングメッセージ(Long messages)
−開始時刻(Start time)、終了時刻(Stop time)
−チャンネルコード(Channel codes)
−呼び戻しメッセージ(Recall messages)
−選択ネットワーク(Select networks)
−進捗ウインドウ(Progress windows)
【０１５３】
配信エージェントウェブポータル２０２及びウェブページ１０６は、一又は複数の進捗ウインドウを備えてよい。
【０１５４】
配信エージェントがｇｏボタン１００８を一旦クリックし、自分のユーザＩＤ１００４及びパスワード１００６をタイプすることでメッセージ責任を受理すると、メッセージは直接的には送信されない。代わりに、配信エージェントがこのメッセージの権限に対して有効であるＰＬＢＳ−ＳＢの管理サブシステムへ送信される。例えば、このメッセージは、配信エージェントの管轄区域権内で送信を規定している。一の個人又はセンタがある期間内に送信してよいメッセージの数に対する制限があってよい。これは、ローカル通信事業者、政府機関又はＰＬＢＳ−ＳＢ１０２オペレータによって規定されてよい。
【０１５５】
このサービスの請求は、メッセージに対して規定したエリアに基づいてよく、又はメッセージに対する配信対象エリアの人口密度に基づいてよい。夫々の場合において、配信エージェントは、先に進めると決定する前に、メッセージはどれくらい費用がかかっているかを知りたいかもしれない。
【０１５６】
配信エージェントのリクエスト及びメッセージは、政府当局及び地域通信事業者との全ての協定との準拠性を保証するために、管理サブシステムによって有効化される。全面遵守の場合にのみ、メッセージは先に進む。その場合、ダイアログボックスは、各地域通信事業者がいつメッセージを受理したかについて確認する。
【０１５７】
そうでない場合、配信エージェントは、なぜメッセージが拒否されたかを説明するダイアログボックスと、迅速に送信されたメッセージを取得するために次に何をすべきかに関する提案を取得する。例えば、より小さな野心(ambitious)を抑えた配信対象エリア／フットプリントを試みてもよく、又はより高い位置づけの配信エージェントからの認可を試みてもよい。
【０１５８】
或いは、ウェブベースのインターフェースは、特定のアプリケーション又は状況に対処することができない場合、アドバンスト配信制御器１０８(Advanced Broadcast Controller: ABC)は、この機能性を備えてよい。この第３者アプリケーションは、配信エリアを規定するために、より多くの、できれば極秘の情報を要求することができる。このように、極秘情報が建物から決して離れることはない。
【０１５９】
地域通信事業者の事務所では、ＰＬＢＳ−ＳＢから受信したセルの緯度及び経度データを局所的に提供された通信事業者ネットワーク用セルＩＤと関連付けるデータ通信事業者配信センタ(CBC)１１４サーバが存在する。セルサービングエリア地図又は表は、地域通信事業者の計且つツール、システム、及びデータから得られる。通常、通信事業者のエンジニアリンググループは、計画、維持、及び管理目的の類似情報を作成する。
【０１６０】
地域配信メッセージは、セルラネットワークオペレータによってセル毎に地域配信チャンネルで配信される。地域配信メッセージを送信するために、通信事業者配信センタ１１４Ａ及び１１４Ｂに信号が送信される。そこから、メッセージがどれくらい頻繁に及びいつ配信されるか等のその他のデータとともに、送信すべきメッセージと、また重大なことには、配信が行われるセルのグローバルセルＩＤとを含んで、メッセージが基地局制御器(BSC)に送信される。
【０１６１】
セルラオペレータは、それらのセルに関する情報（セルデータ）をよく注意して保護する。なぜならその情報は競合他社に有用となりうるからである。彼らは、多数の安全ではないサーバ上にこの情報を有する見通しは受け入れがたいとするかもしれない。
【０１６２】
ＰＬＢＳの一の実施例によれば、各通信事業者は、セル位置及びセルサービングエリアを含む彼ら自身が所有するネットワークデータへのアクセスを維持及び制御する。図２参照。各通信事業者は、公共サービス配信メッセージ用の対象エリアを規定する地理的データを受信し、どの送信リンク及びそれらの関連送信地域が対象エリアに関連するかを判定する。一旦構築されると、各通信事業者は、配信対象エリアに全部又は一部において関連する地域又はエリアに向けてのみ、メッセージ配信を開始する。そのようなものとして、競合する通信事業者は、その他の通信事業者のネットワーク又はそれらが所有するネットワーク又は顧客データへのアクセスを持たない。
【０１６３】
ＰＬＢＳ−ＳＢ１０２及びＣＢＣ１１４間の送信は、利用可能な電気通信施設及びＴＣＰ／ＩＰセキュアトンネルプロトコル、セキュリティ、及び認証を含むプロトコルとともに達成される。送信は、有線でもよく、衛星施設を含む無線でもよい。
【０１６４】
一の実施例において、ＰＬＢＳシステム１００は、通信事業者のセル又はネットワークデータが、地域通信事業者の事務所における通信事業者配信センタ１１４の参照テーブルにおいて配信ネットワーク通信事業者によって保持されることを確実にする。これは、セルのセル識別コード、夫々のラジオ基地局の緯度及び経度位置、及びそれらのセクタに対するアジマスデータを含む。セルセクタアジマスデータを含むと、セル及びセクタ毎の解像度が導かれるが、第１のアプリケーションに対しては、現代のセルのサイズが小さい（通常直径１−３Ｋｍ（約２マイル）である）ことを考慮すると、セル毎の解像度で十分であろう。セルデータは、通信事業者のネットワーク事務所を決して離れることはない。モバイルサービス通信事業者等の地域通信事業者は、セル配信メッセージング技術のホスティング、ローカルセルネットワークへのアクセス、及びセル配信メッセージのその加入者への送信を実行する。加えて、通信事業者又は携帯電話装置サービスプロバイダは、オペレータＧＵＩインターフェースを可能とするために、内部的に又はＰＬＢＳオペレータにセルサイト地理的範囲データを提供してよい。
【０１６５】
地域配信メッセージは、特定の地理的エリアにおける多くのオペレータ又は通信事業者が同じ情報をタイムリーに要求する際に、幾つかの方法で採用されてよい。このような情報は、緊急事態に関するテキストメッセージを含んでよく、３Ｇセル及び電話に対しては、所望の又は行方不明者の写真、画像データ、経路回避及び脱出のためのエリアを含む問題エリアの地図を含んでよい。
【０１６６】
地域配信は、セルラネットワークの機能であり、ＧＳＭ  ＭｏＵ、（ＧＳＭ０３．４１）ＵＭＴＳ、３ＧＰＰ／３ＧＰＰ２及びＩＳ９５ＣＤＭＡ等の公の標準化団体によって規定される。多くのネットワークは、適切なアプリケーションの不足のために現在用いられていない各自のネットワーク用に規定された複数の位置配信チャンネルを有している。
【０１６７】
通常、同一エリアにおいてサービスを提供する通信事業者又はオペレータは複数存在する。競合オペレータ間において、セル計画の一致はなく、そのようなものとして、セル配置及びセルＩＤは通信事業者の夫々に固有のものである。加えて、電気通信技術における絶え間ない革新のために、セル範囲及びネットワーク容量、ネットワーク設計、及び特定のエリアを含む地理的ネットワークシステム及びセルのサイズ及び配置は、動的でありうる。例えば、ネットワーク再構成、セル分割及びスイッチカットオーバーである。
【０１６８】
また、多くのネットワーク１１２が、アンブレラセル、マクロセル、オーバーレイドセル、マイクロセル又はピコセル等の、異なるサイズのネットワーク又はセルの重なりパターンとともに、階層的ネットワーク又はセル構造システムを有している。これらは、夫々が固有のセルＩＤ及び異なる基地局間隔を有しながら、８５０−１９００又は９００−１８００−２Ｇｈｚ等の異なる周波数バンドの多層サブバンド構造も有してよい。
【０１６９】
マルチネットワーク構造は、３Ｇ汎用パケット無線システム(General Packet Radio Service: GPRS)、ＥＤＧＥ、ＣＤＭＡ２０００、ＵＭＴＳ及びＴＤ−ＳＣＤＭＡの導入とともに、複雑さが増し続けるであろう。３Ｇ地域配信メッセージは、ましてや能力があるために、異なる複数のセルＩＤ表が、マルチメディア版よりも、配信メッセージのプレーンテキスト版で入力される。
【０１７０】
約１ＫＢのシングルメッセージ送信は、各送信エリア又はセル用通信事業者によって用いられてよい。そして基地局制御器のトランシーバは、要求された時間、メッセージを繰り返す。
【０１７１】
ユーザ受信装置は、携帯電話、ＰＤＡのユーザ受信装置、ＰＣのユーザ受信装置等を含んでよい。受信装置は、メッセージがローカルユーザによって認知されるまで継続する明確な警戒着信音を提供してよい。このような特徴及び機能は、各種受信装置の特徴及び機能に依存する。受信装置によっては、テキストメッセージ、画像データ、画像、及び地図を受信するように構成されてよく、或いは更なる情報を提供する指定されたウェブサイトに接続可能であってよい。
【０１７２】
現在のシステムにおける一又は複数の実施例と共に、特別な携帯電話装置は要求されない。グローバルシステムフォーモバイルコミュニケーションズ(GSM)携帯電話は、支援ＧＳＭサービスプロバイダによって提供された公共サービスメッセージ地域配信メッセージを表示してよい。加えて、３世代携帯電話サービスプロバイダ及び携帯電話装置は、公共サービスメッセージ地域配信ＰＬＢＳシステム１００と一致する地域配信メッセージを表示するであろう。
【０１７３】
公共サービスメッセージ地域配信サービスは、公共サービスメッセージ地域配信システムプロバイダの印又はサービスマークを表示してもよい。
【０１７４】
公共サービスメッセージ地域配信システムはモバイル通信事業者の音声及びＳＭＳチャンネルに無関係であるため、セル配信は緊急事態中動作し続け、これにより電話が込み合う結果となり、音声及びＳＭＳサービスにおける割り込みにもかかわらず、緊急事態指示用の実行可能な通信リンクとともにローカル権威を有効にする。
【０１７５】
動作中、ＰＬＢＳシステム１００は、一の実施例において、ここに記載の方法で行われてよい。公周サービスメッセージ配信が必要の場合は、公認配信エージェントは、付属のインターネット可能装置から配信エージェントウェブポータルにアクセスする配信エージェントシステムを介して公共サービスメッセージ地域配信システムにアクセスするためのパスワードを入力する。このシステムは、配信エージェントを認識し、その管轄区域権の地図又は図を表示する。
【０１７６】
配信エージェントは、公認配信管轄区域権の全て又はその一部である配信対象エリアを規定又は選択する。配信エージェントは、緊急事態の性質及び／又は要求行動を示すテキストメッセージを構成する。配信エージェントは、メッセージが対象エリアで受信装置によって受信及び／又は配信されるべき時間長を特定する。配信エージェントシステムを用いる配信エージェントは、データを確認し、公衆位置サービスメッセージ地域配信システムサーバに送信する。
【０１７７】
公共サービスメッセージ地域配信システムの配信データ管理(Broadcast Data Management: BDM)サーバは、データを再フォーマット化し、配信対象エリア内でサービスを提供する電気通信事業者の夫々に対する通信事業者配信センタ１１４に転送する。
【０１７８】
各加入している通信事業者配信センタ(CBC)１１４は、全配信対象エリアが配信範囲内であるように対象エリアの全部又は一部を供給する一又は複数のサブネットワーク及び／又はセルセクタ（送信タワー等）を選択する。ＣＢＣ１１４は、そのサービスエリア内の全受信装置にメッセージを配信する。ＣＢＣ１１４配信送信工程は、対象エリア内で、更なる装置が入力し、利用可能となり、又はアクティブ化／電源ＯＮとなることに対応して警告期間中繰り返される。配信サブネットワーク又はセル内に位置する受信装置は、公共サービス配信メッセージを受信し、またメッセージの警告及び表示を行ってよい。
【０１７９】
実際に、一又は複数の実施例の動作は、以下の例によって説明されてよい。
【０１８０】
夜遅くには、川のレベルは危険レベルまで上がる。地元警察は、危険にさらされた住民、洪水の恐れがあるエリアに住む人々に警告をしたい。しかしながら、夜の時間なので、人々はテレビも見ていないし、ラジオも聞いていない。配信エージェントの立場にある巡査長、又は災害管理者は、中央側にある公共サービスメッセージ地域配信システムウェブページ１０６にアクセスする。巡査長は、洪水の危険にあるエリアの地図を選択する。巡査長は、危険の通知をすべき地理的配信対象エリアを規定又は選択する。巡査長は、危険の性質を示すメッセージを入力し、あなたのエリアで洪水警報等の提案行動を入力する。巡査長は、セキュリティ手続きに従って配信メッセージングを開始し、ｇｏボタン１００８をクリックする。
【０１８１】
ＰＬＢＳ−ＳＢ１０２は、メッセージを受信し、特定の通知又は対象エリアに対するメッセージを提案している配信エージェントとしての巡査長の有効性を確認する。一旦有効化されると、ＰＬＢＳ−ＳＢ１０２は、規定サービスエリア内の受信装置、受信可能サービスエリア、又はネットワーク１１２を有する電気通信サービスプロバイダ又は通信事業者の夫々にメッセージを送信する。
【０１８２】
各地域電気通信サービスプロバイダは、配信システムからメッセージ及び対象配信エリア定義を受信し、規定ターゲット配信エリアを供給する特定通信事業者の送信ネットワーク１１２への配信メッセージの送信を開始する。電気通信サービスプロバイダのローカルネットワーク１１２は、メッセージを、規定通知エリア内でアクティブな全てのアクティブで互換性のある受信装置に配信する。各受信装置は、配信メッセージを受信し、メッセージを表示し、共有又は固有の警告信号を提供してよい。
【０１８３】
図１１は、ＰＳＭＢＳ報告サブシステムの機能ブロック図の実施例を示す。この実施例では、二つの地域ＰＳＭＢＳシステム１００Ｑ及び１００Ｒは、各地域内の他数のネットワークに対して配信メッセージングサービスを提供し、各システムのアカウントデータに配信記録を記憶する。三つの別個のＰＳＭＢＳ監視センタ１１０２Ａ、１１０２Ｂ及び１１０２Ｃは、二つの地域から配信メッセージ記録を読み出そうとする。
【０１８４】
管理センタＡ及びＣは、地域１００Ｑ及び１００Ｒから配信記録を読み出し、監視センタＢは、地域１００Ｑのみから配信記録を読み出す。配信メッセージ記録を読み出す機能上の詳細は、監視センタ(PSMBS Monitoring Cent.)１１０２Ａに提供される。ＰＳＭＢＳハンドラ(PSMBS Handler)１１０４は、両地域のＰＳＭＢＳ機関にインターフェースで接続している。読み取られた配信メッセージ記録は、その他の報告アプリケーションによって起こりうるハッキングから情報を保護するための不変データファイルとして維持されるログファイル２１４に書き込まれる。ログファイル２１４に記憶されたデータは、その他のアプリケーションによるアクセス用にログファイル(Log file Copy)１１０８Ａ及び１１０８Ｂにミラーコピーされる。本実施例において、第３者は、所定のウェブベース行動報告１１１８を作成するウェブポータルとしての機能を果たす責任ブラウザハンドラ(Accountability Browser Handler)１１１０を介してデータにアクセスできる。配信メッセージ情報への第３者のアクセスにおける他の模範的実施例は、ＰＳＭＢＳプッシュサービスハンドラ(PSMBS Push Service Handler)１１１８を介して所定の報告情報にアクセスするプッシュサービス加入者(Push Service Subscribers)１１２０に対して示される。その他のプッシュサービスフォーマット(Other Formats)１１１４は、装置固有データフォーマット化を必要とする受信装置用のプッシュサービスハンドラ１１１８によって支援されてよい。監視センタＡ１１９２Ａにおける監督１１１６のみが、ログファイル２１４における記録である監督ハンドラ(Invigilation Handler)１１０６工程を介して行動報告にアクセスできる。
【０１８５】
公共サービスメッセージ配信システム(PSMBS)のオペレータは、配信メッセージングサービスを、政府機関と非政府機関(NGOs)とのどちらにも提示できる。例えば、一のＮＧＯは、製品及び／又は情報サービスを特定の市場セグメントに「プッシュ(push)」配信メッセージングを介して宣伝しようとする法人顧客であってよい。或いは、小売客は、ユーザ選択可能メッセージングチャンネルで無線配信メッセージを受信可能であるＰＤＡ（Personal Digital Assistance）装置を介した株価の監視等の特別なインターネット情報サービスに関連する加入者にメッセージを配信する購読サービスチャンネルに加入してよい。
【０１８６】
一の実施例において、これらのメッセージングサービスは、セル配信仲介位置、ＰＳＭＢＳ、及びＰＳＭＢＳオペレータと自分たちのネットワーク内でこのようなメッセージを配信すると契約したネットワークオペレータの配信メッセージ配信インフラ構造におけるインフラ構造で供給される。契約ネットワークは、セルラネットワーク、ページングネットワーク、ケーブルテレビネットワーク、情報サービスプロバイダ(Information Service Provider: ISP)ネットワーク、又は対象エリア又はグループにメッセージを配信可能な任意のネットワークを含んでよい。
【０１８７】
ＰＳＭＢＳオペレータは、顧客に配信メッセージングサービスを請求し、契約配信ネットワークに、これらの配信メッセージを配信するネットワークの使用を補償する。成功を収めるために、ＰＳＭＢＳビジネスモデルは、ネットワーク施設の使用が増加することに対して（すなわち、ＰＳＭＢＳオペレータの営業費）、契約ネットワークには補償財源を提供しなければならず、ＰＳＭＢＳサービスプロバイダには利益になるサービス財源を提供しなければならない。
【０１８８】
ここに開示された請求システム（及び関連方法）は、プッシュサービス加入者への加入サービス請求料を含めて、ネットワークオペレータに支払われた補償ネットワークの使用料、ＰＳＭＢＳ顧客へのＰＳＭＢＳサービス料を算出可能である。ここに開示された模範的実施例は、セルラ配信メッセージ配信ネットワークにおける配信メッセージングサービスの提供に固有の請求システムの特徴及び能力を例示するが、セルラネットワークに制限されるものではない。
【０１８９】
ＧＳＭシステムにおいて、モバイルネットワークオペレータは、各ネットワークセールに、セル配信チャンネルとともに構成されるように命令するか、或いはネットワーク内のセルに、セルのサービスエリア／サービスフットプリント内で配信メッセージ配信用の配信チャンネルを構成しないように命令してもよい。メッセージ配信を可能にする命令は、スタンドアロン専用制御チャンネル(Stand Alone Dedicated Control Channel: SDCCH)の一のサブチャンネルを標準制御チャンネル使用のサービス（例えば、モバイルセット(MS)呼設定、呼出終了、ショートメッセージングサービス設定、通常ＭＳ位置更新等）から取りだすことを要求する。ＳＤＣＣＨサブチャンネルは、制御、ＳＭＳおよび無線アプリケーションプロトコル(WAP)トラフィックを実行するために用いることができる。大抵のセル構造において、一の空気界面タイムスロットに８つのＳＤＣＣＨチャンネルがあるが、高密度なセルラトラフィックを支援するために１６以上あってもよい。請求システムは、ネットワークオペレータにＳＤＣＣＨサブチャンネルの配信メッセージの使用を補償する料金を算出する。
【０１９０】
党技術分野で周知のように、エリクソンＢＡＳ１トラフィックモデルは、平均セルトラフィック統計に基づいている。以下の表は、ＢＡＳ１トラフィックモデルに係る各種イベントの制御チャンネルグループに対する平均ＳＤＣＣＨサブチャンネル提示制御トラフィック（ミリアーラン／加入者、即ち、mE/Sub）を示す。
【０１９１】
【表１】
2009517738.tif 000003
任意のセルの制御チャンネルへのトラフィック付加量は、内部セル、即ち、位置エリアボーダ上にないセル、であるか、又は外部セル、即ち地域エリアボーダ上にあるセル、であるかにも依存する。モバイルセットが地域エリアボーダを横断する場合、ハンドオフを生じさせるためにサービス切替システムに通信する。よって、ＭＳが現在位置するエリアを供給するスイッチの制御チャンネルによって呼び出されうる。モバイルセットは、その固有の国際移動電話加入者識別(IMSI)コードによって識別される。
【０１９２】
制御チャンネル使用モデルの一の実施例において、単一のトラフィックチャンネルは、通常のセルサイトに対して制御機能行動を供給している。加入者当たりの平均提示トラフィック０．００２２アーランは、一日の加入者当たりの配信時間０．２６４分、又は１年のサブ当たりの９６．３６分と同じである。トラフィック制御チャンネル当たり８つのサブチャンネルが存在するので、サブチャンネル当たりの提示負荷は、１年の加入者当たりのトラフィック１２．０４５分である。よって、ネットワークオペレータは、ＰＳＭＢＳシステムによる専用サブチャンネルへの常時アクセスに対し、１年の加入者当たりの配信メッセージトラフィック１２分を補償されてよい。或いは、ネットワークオペレータは、ネットワーク使用に基づいて補償することができる。
【０１９３】
配信メッセージ対象エリアの全エリア又はその一部であるネットワーク特有対象エリア内のネットワークオペレータ加入者の数は、ネットワークオペレータによって供給されたメッセージ対象エリア×ネットワークオペレータに対する平均加入者密度（例えば、加入者／平方キロメートル）の積として算出できる。メッセージ長、ネットワーク特有対象エリア内でのメッセージの繰り返し配信数、及び請求期間中に配信メッセージによってアクセス可能なネットワーク特有加入者の数を考慮するメッセージ開始者に対する請求単位が構成される。請求期間は、例えば、月に１回、３か月に１回、半年に１回、又は１年に１回であってよい。
【０１９４】
一の模範的な請求単位は、メッセージ「ショット(shot)」当たりのネットワーク配信料のそれである。ここで、１「ショット(shot)」は、１５メッセージページ×１００００加入者の積として規定される。この料金／ショット比は、１００００で割られるネットワークのメッセージ対象エリア内のネットワーク特有加入者数に適用される。この料金は、各配信メッセージ配信ネットワークに認証された配信エージェントからの各個々の配信メッセージ記録に適用される。この模範的実施例において、総請求料は、各請求期間にわたって使用に影響を受ける。或いは、請求期間にわたって平均配信メッセージの使用を考慮する平均請求期間固定料金を構成できる。
【０１９５】
ＰＳＭＢＳメッセージを配信する契約をしたネットワークオペレータに対する補償は、「ショット(shot)」単位又は類似の単位に基づいて同様に構成できる。請求期間あたりにネットワークオペレータに支払われたネットワーク料は、請求期間にわたってネットワークオペレータによって配信された「ショット(shot)」に基づいてもよい。或いは、固定ネットワーク料が、平均配信メッセージ統計に基づく所与のサービス機関に対して構成されてよい。模範的な請求単位の「ショット当たりの料金(fee per shot)」を例示したが、所与の法オスメッセージ開始者に対して適当なその他の請求単位を構成することができ、また請求システムの請求単位は、「ショット(shot)」単位に制限されるものではない。
【０１９６】
図１２は、Ｈａｓｌｅｍｅｒｅアドミッションコントロールアルゴリズムのネットワーク寄託の認可を介してうまく配列された配信メッセージに対する請求システムフロー図の模範的実施例である。公認ネットワークに対する請求工程は、ネットワークに用いられるネットワーク請求アルゴリズムにアクセスするフェッチアルゴリズム(Fetch algorithm)１２０８とともに始まる。請求単位は、典型的な「ショット(shot)」単位等、ステップ１２１０(Compute Billing Units)において算出される。配信リクエスト用に公認ネットワークに対して算出された請求は、ステップ１２１２(Write to BR)において配信リクエストに付加され、ステップ１２１４(Write to Agent file)においてエージェントファイルに書き込まれ、ステップ１２１６(Write to Network file)においてネットワークファイルに書き込まれる。両ファイルはアカウントデータ２１６に記憶される。次の公認ネットワークは、ステップ１２０４(Next Network submission)においてアクセスされる。「全終了(All done)？」ステップ１２０６において検査されたように、全てのネットワークが処理されると、ステップ３１６においてAdmiss_Doneフラグは設定され、ステップ１２１８(Go to reporting)において完了記録が報告サブシステムに寄託される。
【０１９７】
このシステムにおける他の請求実施例は、プッシュサービス加入者に対して補助の「プッシュサービス」の請求を提供する。このような請求は、通常、固有のプッシュサービスチャンネルコードでこのようなサービスにアクセスする加入者に対して、均一料金に基づいている。模範的な「プッシュサービス」は、スポーツの得点結果又は天気情報の受信を含んでよい。
【０１９８】
他の請求実施例は、小売人からのセールスプロモーション等、プッシュ情報コンテントサービス（メッセージ受信者には無料）のスポンサーである法人顧客の請求を提供する。このような用途において、スポンサーは、固有のスポンサー割当配信チャンネルで配信された配信メッセージに対して請求される。個々の商業用請求契約が、このような用途に対して構築される。
【０１９９】
実施例によっては、一の配信メッセージを一の配信対象エリアに提供する公共サービスメッセージ配信システムは、配信メッセージインターフェース、配信アドミッションコントロールモジュール、及び階層的ジオフェンス配信メッセージルーティングサブシステムを含む。配信メッセージインターフェースは、前記配信対象エリア及び前記配信メッセージを含み、前記配信メッセージを受信する少なくとも一の監督用公共サービスメッセージ配信システムを規定する配信記録を受信し、前記配信メッセージ、前記配信対象エリア、前記配信メッセージ発信元識別子、及び前記配信メッセージを受信する前記少なくとも一の監督用公共サービスメッセージ配信システムを含む配信メッセージ記録を生成するように構成される。配信アドミッションコントロールモジュールは、前記配信メッセージ記録を受信し、前記配信メッセージ発信元識別子、前記配信対象エリア及び監督用公共サービスメッセージ配信システムルーティングパラメータのうちの一又は複数に応じて前記配信メッセージ記録を有効にし、前記ジオフェンス配信ルーティングパラメータを含む有効にされた配信メッセージ記録を生成するように構成される。階層的ジオフェンス配信メッセージルーティングサブシステムは、前記有効にされた配信メッセージ記録を受信するように構成されており、前記監督用公共サービスメッセージ配信システムは、前記メッセージ送信に応答し、前記有効にされた配信メッセージ記録を、複数の地理的に異なるサブテンド公共サービスメッセージ配信システムに送信するように構成される。
【０２００】
実施例によっては、前記配信アドミッションコントロールモジュールは、配信メッセージ発信元承認パラメータに応じて前記配信メッセージ発信元の権限を検証し、前記配信メッセージの前記送信は、前記権限検証に応答する。
【０２０１】
実施例によっては、前記配信アドミッションコントロールモジュールは、配信メッセージ発信元パラメータに応じて配信メッセージ発信元の前記権限の検証の包含を検証するように構成される。
【０２０２】
実施例によっては、前記送信された配信メッセージ記録を受信し、前記配信メッセージ発信元識別子、前記配信対象エリア及び監督用公共サービスメッセージ配信システムルーティングパラメータのうちの一又は複数に応じて前記配信メッセージ記録を有効にし、前記ジオフェンス配信ルーティングパラメータを含む有効にされた配信メッセージ記録を生成するように構成された第２配信アドミッションコントロールモジュールを更に備える。
【０２０３】
実施例によっては、前記階層的ジオフェンス配信ルーティングサブシステムは、管轄区域コード及びメッセージ優先コードを伴う前記配信メッセージ記録にフラグを立てるように構成される。
【０２０４】
実施例によっては、前記第２配信アドミッションコントロールモジュールは、前記配信メッセージ発信元の前記管轄区域権限の認証を含む前記配信メッセージ記録を有効にするように構成される。
【０２０５】
実施例によっては、前記第２の有効にされた配信メッセージ記録を受信するように構成された第２の階層的ジオフェンス配信メッセージルーティングサブシステムを更に備え、前記監督用公共サービスメッセージ配信システムは、前記メッセージ送信に応答し、前記配信メッセージ記録を、第２の地理的に異なるサブテンド公共サービスメッセージ配信システムに送信するように構成される。
【０２０６】
実施例によっては、少なくとも一の地理的に異なるジオフェンス公共サービスメッセージ配信システムへの配信メッセージの寄託及び送信を管理する公共サービスメッセージ配信システムサービス方法は、配信メッセージ発信元によって前記配信メッセージを生成する工程と、前記配信対象エリアを規定する工程と、前記配信メッセージ、前記配信対象エリア及び配信メッセージ発信元識別子を含む配信メッセージ記録を生成する工程とを含む。この方法は、前記配信対象エリアを含む前記配信メッセージ発信元に対する前記配信メッセージ記録の権限を認証する工程と、複数の監督用公共サービスメッセージ配信システムの中から一の監督用公共サービスメッセージ配信システムを選択する工程とも含む。この方法は更に、前記認証された配信メッセージ記録を前記選択された監督用公共サービスメッセージ配信システムに送信する工程と、第２の監督用公共サービスメッセージ配信システム、及び前記配信対象エリアのうち少なくとも一部に配信メッセージ送信サービスを提供するサブテンド公共サービスメッセージ配信システムのうちの少なくとも一方に、受理可能な配信メッセージ記録として送信のために、前記選択された監督用公共サービスメッセージ配信システムによって前記認証された配信メッセージ記録の受容性を決定する工程とを含む。この方法は、前記受理可能な配信メッセージ記録を、第２の監督用公共サービスメッセージ配信システム及びサブテンド公共サービスメッセージ配信システムのうちの少なくとも一方に送信する工程も含む。
【０２０７】
実施例によっては、第２の監督用公共サービスメッセージ配信システムによって前記寄託された配信メッセージ記録の受容性を決定する工程と、前記配信対象エリアの少なくとも一部内における複数の配信メッセージ受信手段に、メッセージ配信サービスを提供する供給された配信メッセージ送信ネットワークへの送信のために、前記配信対象エリアのうちの少なくとも一部に配信メッセージ送信サービスを提供するサブテンド公共サービスメッセージ配信システムに、前記受理可能な配信メッセージ記録を送信する工程を更に備える。
【０２０８】
実施例によっては、前記配信対象エリアの少なくとも一部内における複数の配信メッセージ受信手段に、メッセージ配信送信サービスを提供する供給された配信メッセージ送信ネットワークへの送信のために、前記配信対象エリアの少なくとも一部に配信メッセージ送信サービスを提供する前記サブテンド公共サービスメッセージ配信システムによって、前記寄託された配信メッセージ記録を有効にする工程を更に備える。
【０２０９】
実施例によっては、前記配信メッセージ記録を有効にする工程は、配信メッセージ発信元識別子、前記配信対象エリア、及び前記配信対象エリアの少なくとも一部に、前記メッセージを配信するように構成された配信送信ネットワークに関連する配信メッセージ送信ネットワークパラメータのうちの一又は複数に応じて有効にする工程を含む。
【０２１０】
実施例によっては、配信メッセージ記録を生成する工程は、管轄区域コード及びメッセージ優先コード伴う前記配信メッセージ記録にフラグを立てる工程を含む。
【０２１１】
実施例によっては、前記配信メッセージ記録を認証する工程は、前記配信メッセージ発信元の管轄区域権限を認証する工程を含む。
【０２１２】
実施例によっては、前記寄託された配信メッセージ記録の受容性を決定する工程は、監督用公共サービスメッセージ配信システム配信メッセージ送信決定フラグを前記配信メッセージ記録に付加する工程を含む。
【０２１３】
実施例によっては、サブテンド公共サービスメッセージ配信システムメッセージ送信決定フラグを前記配信メッセージ記録に付加する工程を含む前記サブテンド公共サービスメッセージ配信システムによって、第２監督用公共サービスメッセージ配信システムから、前記寄託された配信メッセージ記録の前記受容性を決定する工程を含む。
【０２１４】
実施例によっては、前記選択された監督用公共サービスメッセージ配信システムは、国際的な公共サービスメッセージ配信システムであり、領域公共サービスメッセージ配信システム及び前記サブテンド公共サービスメッセージ配信システムを含み、国営公共サービスメッセージ配信システムである第２の監督用公共サービスメッセージ配信システムを選択する工程を更に備える。
【０２１５】
実施例によっては、前記選択された監督用公共サービスメッセージ配信システムは、領域公共サービスメッセージ配信システムであり、国営公共サービスメッセージ配信システム及び前記サブテンド公共サービスメッセージ配信システムを含み、州又は自治州の公共サービスメッセージ配信システムである第２の監督用公共サービスメッセージ配信システムを選択する工程を更に備える。
【０２１６】
実施例によっては、前記選択された監督用公共サービスメッセージ配信システムは、国営公共サービスメッセージ配信システムであり、州又は自治州の公共サービスメッセージ配信システム及び前記サブテンド公共サービスメッセージ配信システムを含み、地域公共サービスメッセージ配信システムである第２の監督用公共サービスメッセージ配信システムを選択する工程を更に備える。
【０２１７】
実施例によっては、配信メッセージを配信対象エリアに提供する公共サービスメッセージ配信システムは、前記配信メッセージ、前記配信対象エリア及び配信メッセージ発信元識別子を含む配信メッセージ記録を受信し、前記配信メッセージを受信する二つの地理的に異なるピア公共サービスメッセージ配信システムを識別し、前記配信メッセージ、前記配信対象エリア、前記配信エージェント識別子、及び前記配信対象エリアの少なくとも一部に、前記受信した配信メッセージを送信するように夫々構成された前記少なくとも一の地理的に異なるピア公共サービスメッセージ配信システムを含む配信メッセージ記録を生成するように構成された配信メッセージインターフェースを含む。このシステムは、前記配信メッセージ記録を受信し、前記配信メッセージ発信元識別子、前記配信対象エリアの少なくとも一部及び一以上の地理的に異なるピア公共サービスメッセージ配信システムのうちの一又は複数に応じて前記配信メッセージ記録を有効にするように構成された第１配信アドミッションコントロールモジュールも含む。このシステムは更に、有効にされた配信メッセージを、地理的に異なるピア公共サービスメッセージ配信システムに関連する第２配信アドミッションコントロールモジュールに送信するように構成された第１ピアジオフェンス配信メッセージルーティングサブシステムと、前記送信された配信メッセージ記録を受信し、前記配信メッセージ発信元識別子、前記第２配信アドミッションモジュールに関連する前記配信対象エリアの少なくとも一部及び前記第２配信アドミッションコントロールモジュールを伴う配信メッセージ送信ネットワークのうちの一又は複数に応じて前記配信メッセージ記録を有効にするように構成された第２配信アドミッションコントロールモジュールとも含む。
【０２１８】
実施例によっては、少なくとも一の地理的に異なるジオフェンスピア公共サービスメッセージ配信システムへの配信エージェントメッセージの前記寄託及び送信を管理する公共サービスメッセージ配信システムサービス方法は、前記配信メッセージ及び前記配信対象エリアを規定する配信メッセージ発信元によって配信メッセージ記録を生成する工程と、
前記配信メッセージ発信元の配信メッセージ権限を認証する工程とを含む。この方法は、前記配信メッセージ記録をピア公共サービスメッセージ配信システムに送信する工程と、関連配信メッセージネットワークへの送信のために前記受信された配信メッセージ記録を有効にする工程とも含む。
【０２１９】
実施例によっては、前記配信メッセージ記録を有効にする工程は、配信メッセージ発信元識別子、前記配信対象エリア及び前記配信ネットワークに関連する配信メッセージ送信ネットワークパラメータのうちの一又は複数に応じて有効にする工程を含む。
【０２２０】
実施例によっては、配信メッセージを生成する工程は、管轄区域コードを伴う前記配信メッセージ記録にフラグを立てる工程を含む。
【０２２１】
実施例によっては、前記配信メッセージ権限を認証する工程は、前記管轄区域コード及び前記配信対象エリアに応じて前記配信メッセージ権限の管轄区域権限を認証する工程を含む。
【０２２２】
実施例によっては、配信メッセージを生成する工程は、メッセージ優先コードを伴う前記配信メッセージ記録にフラグを立てる工程を含む。
【０２２３】
実施例によっては、配信メッセージ権限を認証する工程は、前記メッセージ優先コードに応じて前記配信メッセージ権限の管轄区域権限を認証する工程を含む。
【０２２４】
実施例によっては、ピア公共サービスメッセージ配信システム配信メッセージ送信決定フラグを、前記配信メッセージ寄託に付加する工程、及び前記配信メッセージ記録の一部として前記送信決定を格納する工程を含む前記ピア公共サービスメッセージ配信システムによって、前記寄託された配信メッセージ記録を、認証する工程、受理する工程又は拒否する工程を含む。
【０２２５】
実施例によっては、前記ピア公共サービスメッセージ配信システムは、領域の、国営の、自治州の、州の又は地域の公共サービスメッセージ配信システムのうちの一つである。
【０２２６】
図１３は、ジオフェンス配信メッセージルーティングシステム(Geo-fenced Broadcast Message Routing System: GBMRS)の一の実施例を示す。本実施例は、配信メッセージが該メッセージをその直接の管轄区域権から離れた地域に配信しようとするＰＳＭＢＳシステム(Initiating Broadcast Message PSMBS System)１３０２によって開始される配信メッセージ環境を取り上げる。本実施例において、ＰＳＭＢＳ１３０２は、配信メッセージをメッセージ配信ネットワーク(Msg. Broadcast Network)１３１２Ａ−Ｄによって供給された対象エリア１３１０Ａ−Ｄに送信する権限を有さない。これら対象エリアへの配信メッセージの送信を達成するために、ＰＳＭＢＳ１３０２がメッセージを更なる処理のための監督ＰＳＭＢＳシステムに送信することが必要とされる。第１監督ＰＳＭＢＳシステム１３０４は、全対象エリアに対する管轄区域権アクセスを有する。即ち、サブテンドＰＳＭＢＳ(Sub-tending PSMBS)１３０８Ｄを介して直接的にエリア１３１０Ｄに、又は第２監督ＰＳＭＢＳ(2nd Supervisory PSMBS)１３０６及びそのサブテンドＰＳＭＢＳ１３０８Ａ、１３０８Ｂ及び１３０８Ｃを介して間接的にエリア１３１０Ａ−Ｃにアクセスする。下位のＰＳＭＢＳシステムの夫々は、それらの配信サービスエリア内における関連送信ネットワークへの配信メッセージの送信に関与する。
【０２２７】
配信メッセージを適切なＰＳＭＢＳシステムに転送する各ステップにおいて、アドミッションコントロール工程は、あたかもそれが新たな配信メッセージリクエストであるように行われる。即ち、各ＰＳＭＢＳシステムにおいて再認可が必要とされ、配信記録は各システムにおいて保持される。
【０２２８】
一の模範的実施例において、第１監督ＰＳＭＢＳシステム(1st Supervisory PSMBS System)は、世界的システムであってよく、第２監督システムは国家システムであってよく、サブテンドシステムは、自治州又は州の配信メッセージングシステムであってよい。
【０２２９】
他の実施例において、第１監督システムは国家システムであってよく、第２監督システムは自治州又は州のシステムであってくよく、サブテンドシステムは大都市圏に制限されてよい。記載したジオフェンシング実施例は、ジオフェンシングの範囲を制限するものではないが、図１３において概念的フォーマットで提供されている。
【０２３０】
図１４は、ＰＳＭＢＳジオフェンシングアプリケーションの他の模範的実施例を提供しており、国際配信メッセージ調整を必要とする津波配信メッセージの文脈で最善に示されてよい。国際エージェント(International Agent)１４０２又は１４０４は、津波報告を受信し、警告メッセージを国Ａ(Country A)１４０６Ａ及び国Ｂ(Country B)１４０６Ｂに配信したいと望む。国際機関(International PSMBS Broadcast Broker System)１０２は、配信メッセージリクエストを国際エージェントから受信し、その信頼性を検証するためにその他のメッセージ寄託に関して同じアドミッションコントロールを実行する。メッセージは、どの国がメッセージをメッセージ源から受理するかを検証するために、管理データベースと照合される。ジオコード又はポリゴンは、配信メッセージの対象エリアの範囲を規定する。アドミッションコントロールが対象エリアパラメータを一旦有効化すると、分配器は、ジオコードをデータベースにあるものと照合する。ＰＳＭＢＳ機関サービスエリアがポリゴン内にあるか又はデータベースにおいて規定される場合、このメッセージのコピーが国家機関に送信される。
【０２３１】
国家機関において、アドミッションコントロール工程は、国家主権が尊敬されるように繰り返される。なぜなら、国又は地域信頼プロトコルは、地域アドミッションコントロールアルゴリズムによって実行され、国際協定によるものではないからである。図１４において、国家機関(PSMBS Broadcast Broker Server)１０２Ａ１は、セル配信センタ(Cell Broadcast Center)１０２Ａ２、１０２Ａ３及び１０２Ａ４による更なる処理のために、メッセージを領域１(Region 1)（１４１２）及び領域２(Region 2)（１４１０）に対してコピーする。国又は地域機関システム内で、ポリゴン又はジオコードを、各関与する配信ネットワークのサービスエリアに対して有効化できる。アドミッションコントロールが完了すると、分配器サブシステムは、ジオコード又はポリゴンをデータベース内のものと照合する。ネットワークサービスエリアがポリゴン下にあるか又はデータベース内で規定される場合、メッセージのコピーが、送信のために各ネットワーク動作センタに送信される。図４の管轄ジオフェンシング実施例において、国際ＰＳＭＢＳシステム１０２は、配信メッセージを国Ｂ（１４０６Ｂ）に直接送信する管轄区域権を有し、国家機関を介した調整を行う必要はない。
【０２３２】
配信メッセージ管轄ジオフェンシングの他の実施例において、図１５に示すように、国際ＰＳＭＢＳ機関は、河川への有害流出が規定した配信メッセージ対象エリアの北で起こったことを報告する配信メッセージを、配信メッセージ権限を管轄区域権に対してのみ有する管轄区域権Ｂ(Jurisdiction B)を供給する団体Ｂから受信する。メッセージリクエストは、管轄区域権Ｂが全く権限を持たない管轄区域権Ａ及びＣ(Jurisdiction A and C)を含む配信対象エリア１５０２を含む。警告メッセージは、管轄区域権Ｂ内にあるポリゴンエリアによって境界され、イーストリバーボーダ（河川の中央として例示）を含むポリゴン１５０２境界の一部であると規定された河川の東側に沿ってネットワークＢ１、Ｂ２及びＢ３においてセルサイト１１８Ｂ１−Ｂ３で管轄区域権Ｂによって配信できる。
【０２３３】
国際機関(International Bureau)１０２ｉにおける管轄区域権Ｂからの配信メッセージリクエストの受信時に、配信メッセージリクエストは、アドミッションコントロールアルゴリズムによって認証され、有効である場合は、完全な配信エリア定義か、又はポリゴン１５０２Ａ及び１５０２Ｃとして規定された修正ポリゴン配信対象エリアのどちらか一方とともに、管轄区域権Ａ及びＣに転送される。各管轄区域ＰＳＭＢＳシステムは、そのアドミッションコントロールアルゴリズムで配信リクエストを処理し、有効である場合は、警告メッセージを公認配信メッセージ送信ネットワークに送信する。
【０２３４】
この模範的実施例において、管轄区域権Ｃは、管轄区域ボーダＡ／Ｃ(Border A/C)、河川ボーダＢ／Ｃ(Border B/C)及び管轄区域権Ｃ内のポリゴン周辺によって規定された対象エリア１５０２の南東エリアを供給するネットワークＣでメッセージを配信する。同様に、管轄区域権Ａは、国際機関からの配信リクエストメッセージを処理し、アドミッションコントロール有効化が成功した際には、配信メッセージをネットワークＡに送信する。ネットワークＡは、ボーダＡ／Ｂ(Border A/B)、ボーダＡ／Ｃ(Border A/C)及び管轄区域権Ａ内のポリゴン１５０２の一部によって規定されたポリゴン１５０２の北西エリアに配信メッセージ範囲を提供するセル１１８Ａからメッセージを配信する。
【０２３５】
明確のため、ネットワークは、重ならないサービスエリアとして示されるが、所与の送信ネットワークは、多数の管轄区域権のセグメントを供給してよい。この場合、認証メッセージを、各管轄区域権におけるそのネットワークのこれらの部分に配信するであろう。
【０２３６】
本発明の態様、又はその実施例を導入する際、冠詞「a」、「an」、「the」及び「said」は、一又は複数の要素が存在することを意味するものである。用語「comprising」「including」及び「having」は、包括的であり、記載された要素以外の更なる要素が存在してよい意味である。
【０２３７】
上記を鑑みると、本発明の態様がいくつか達成され、その他の有利な結果が得られることが分かるであろう。上記の模範的な構成及び方法においては、本発明の範囲から逸脱せずに各種の変更が行われるので、上記の説明又は添付の図面に含まれる全ての内容は、例示的なものであり、制限の意味はないとして解釈されるものである。
【０２３８】
更に当然のことながら、ここに記載のステップは、説明又は例示された特定の順序における性能を必ず要求すると解釈されるものではない。また更なる又は代替のステップが採用されてよいことも理解されるであろう。
[別表１]
2009517738.tif 000004
2009517738.tif 000005
ネットワークの決定権における、及び政府当局及びその他の関心のある第３者と共同した、その他のチャンネル
【図面の簡単な説明】
【０２３９】
【図１】本発明の一の実施例に係る公共サービスメッセージ地域配信システムを示す機能ブロック図である。
【図２】本発明の一の実施例に係る公共サービスメッセージ地域配信システムを示す第２機能ブロック図である。
【図３】本発明の一の実施例に係る公共サービスメッセージ地域配信システムサービス機関内のアドミッションコントロール処理を示すフローチャートである。
【図４】本発明の一の実施例に係る配信エージェントポータルウェブページを示すスクリーンショットである。
【図５】本発明の一の実施例に係るターゲット配信エリアの配信エージェント初期指定を例示する配信エージェントポータルウェブページを示すスクリーンショットである。
【図６】本発明の一の実施例に係るターゲット配信エリアの指定を規定する形状ツールの使用を例示する配信エージェントポータルウェブページを示すスクリーンショットである。
【図７】本発明の一の実施例に係る所定のターゲット配信エリアのフットプリントライブラリを例示する配信エージェントポータルウェブページを示すスクリーンショットである。
【図８】本発明の一の実施例に係る、配信エージェントに配信リクエストのパラメータ及びメッセージを作成可能にさせるダイアログボックスを例示する配信エージェントポータルウェブページを示すスクリーンショットである。
【図９】本発明の一の実施例に係るターゲット配信エリアのライブラリとメッセージライブラリを例示する配信エージェントポータルウェブページを示すスクリーンショットである。
【図１０】本発明の一の実施例に係る配信エージェント確認入力プロンプト／ウインドウを例示する配信エージェントポータルウェブページを示すスクリーンショットである。
【図１１】一の実施例に係る公共サービスメッセージ地域配信システムの報告システムを示す機能ブロック図である。
【図１２】一の実施例に係る請求システムを示すフローチャートである。
【図１３】一の実施例における配信メッセージのジオフェンス工程を示す機能ブロック図である。
【図１４】他の実施例における模範的ジオフェンス工程を示す第２機能ブロック図である。
【図１５】他の模範的実施例におけるジオフェンス工程を示す第３機能ブロック図である。
【符号の説明】
【０２４０】
１００  公共サービス地域配信システム
１０２  ＰＳＭＢＳ配信仲介サーバ
１０３  ウェブサーバ
１０４  配信エージェントアクセス装置
１０８  配信エージェントシステム
１１０  ＰＳＭＢＳ配信モニタ
１１２  ネットワーク
１１４  セル配信センタ
１１６  切替センタ
【図１】
2009517738.tif 000006
【図２】
2009517738.tif 000007
【図３】
2009517738.tif 000008
【図４】
2009517738.tif 000009
【図５】
2009517738.tif 000010
【図６】
2009517738.tif 000011
【図７】
2009517738.tif 000012
【図８】
2009517738.tif 000013
【図９】
2009517738.tif 000014
【図１０】
2009517738.tif 000015
【図１１】
2009517738.tif 000016
【図１２】
2009517738.tif 000017
【図１３】
2009517738.tif 000018
【図１４】
2009517738.tif 000019
【図１５】
2009517738.tif 000020
【国際調査報告】
2009517738.tif 000021
2009517738.tif 000022
2009517738.tif 000023